(57)【要約】生体組織検査等の医療手技における使用のための、収納アセンブリ、および方法、および例えば手動の駆動装置または電動の駆動装置などの駆動装置を受け入れるかつ/または密閉するよう構成された収納アセンブリなどの収納アセンブリを含むキットを開示する。【特許請求の範囲】
【請求項１】
骨内針セットに結合されるよう構成された第一端と、該骨内針セットを駆動装置によって動かすことが可能であるように駆動装置に結合されるよう構成された第二端とを有する結合器を含み、収納アセンブリの改良点が以下を含む、駆動装置用の改良された収納アセンブリ：
内部、ならびに
第一の開口部を有し、かつ該第一の開口部を結合器が覆うように結合器に結合されている第一端と、
駆動装置を受け入れる大きさに作られた第二の開口部から離間している第二端と、
第二端と第二の開口部との間のフラップと、
ロッドの周りに収納袋の少なくとも一部を巻きつけることによって第二の開口部を閉鎖および密閉することが可能であるように該フラップに結合可能であるロッドと
を有する、収納袋。
【請求項２】
収納袋が実質的に無菌である、請求項1記載の収納アセンブリ。
【請求項３】
ロッドが収納袋に結合されている、請求項1〜2のいずれか一項記載の収納アセンブリ。
【請求項４】
ロッドの少なくとも1つの外側部分が、円形の断面を含み、かつ屈曲して、第二の開口部の閉鎖後に収納袋の第二端が収納袋の第一端から遠ざかることを防止するよう構成されている、請求項1記載の収納アセンブリ。
【請求項５】
収納袋が結合器から分離するのを防止するために収納袋の第一端上に配置されているリング
をさらに含む、請求項1記載の収納アセンブリ。
【請求項６】
以下を含むキット：
請求項1〜5のいずれか一項記載の収納アセンブリ；および
結合器に結合されるよう構成されている、骨内針セット。
【請求項７】
結合器に結合されるよう構成されている駆動装置をさらに含む、請求項6記載のキット。
【請求項８】
骨内針セットがカニューレおよびスタイレットのうちの少なくとも一つを含む、請求項6記載のキット。
【請求項９】
切断面の露出を防止するため、カニューレおよびスタイレットのうちの少なくとも一つが鋭利物保護器内に配置可能であるように構成されている少なくとも一つの鋭利物保護器をさらに含む、請求項8記載のキット。
【請求項１０】
以下の工程を含む方法：
収納アセンブリの収納袋内に駆動装置を挿入する工程；
開口部と、駆動装置から該開口部よりも遠くに配置されたロッドとを有する収納袋に結合された結合器に、駆動装置を結合する工程；ならびに
開口部を閉じるために、結合器に向かってロッドを回転させる工程。
【請求項１１】
骨内針セットを結合器に結合する工程をさらに含む、請求項10記載の方法。
【請求項１２】
骨内針セットを動かすために、駆動装置を作動させる工程をさらに含む、請求項11記載の方法。
【請求項１３】
以下の工程を含む方法：
収納アセンブリの収納袋内に駆動装置を挿入する工程；
開口部を有する収納袋に結合された結合器に駆動装置を結合する工程；
駆動装置から離間して該開口部よりも遠くにある収納袋のポケット内に、ロッドを挿入する工程；および
開口部を閉鎖するために、結合器に向かってロッドを回転させる工程。
【請求項１４】
骨内針セットを結合器に結合する工程をさらに含む、請求項13記載の方法。
【請求項１５】
骨内針セットを動かすために、駆動装置を作動させる工程をさらに含む、請求項14記載の方法。
【請求項１６】
収納袋内に挿入する際に駆動装置が無菌ではない、請求項13〜15のいずれか一項記載の方法。
【請求項１７】
骨内針セットに結合されるよう構成された第一端と、該骨内針セットを駆動装置によって動かすことが可能であるように駆動装置に結合されるよう構成された第二端とを有する結合器を含み、収納アセンブリの改良点が以下を含む、駆動装置用の改良された収納アセンブリ：
内部、ならびに
第一の開口部を有し、該第一の開口部を結合器が覆うように結合器に結合されている第一端と、
第二の開口部、該第二の開口部に隣接する第一の係止可能なトラック、および該第二の開口部に隣接する第二の係止可能なトラックを有する第二端と、
該第一および第二の係止可能なトラックに可動式に結合され、かつ該第一の係止可能なトラックを該第二の係止可能なトラックに係合させて該第二の開口部を閉鎖し該内部を密閉するために第一の方向に動かされるよう構成されているタブと
を有する、収納袋。
【請求項１８】
収納袋が実質的に無菌である、請求項17記載の収納アセンブリ。
【請求項１９】
以下を含むキット：
請求項17〜18のいずれか一項記載の収納アセンブリ；および
結合器に結合されるよう構成されている骨内針セット。
【請求項２０】
結合器に結合されるよう構成されている駆動装置をさらに含む、請求項19記載のキット。
【請求項２１】
骨内針セットがカニューレおよびスタイレットのうちの少なくとも一つを含む、請求項19記載のキット。
【請求項２２】
切断面の露出を防止するため、カニューレおよびスタイレットのうちの少なくとも一つが鋭利物保護器内に配置可能であるように構成されている少なくとも一つの鋭利物保護器をさらに含む、請求項21記載のキット。
【請求項２３】
以下の工程を含む方法：
収納アセンブリの収納袋内に駆動装置を挿入する工程；
開口部を有する収納袋に結合された結合器に、駆動装置を結合する工程；および
第一の係止可能なトラックを第二の係止可能なトラックに係合させて該開口部を閉鎖するために、第一の方向にタブを動かす工程。
【請求項２４】
骨内針セットを結合器に結合する工程をさらに含む、請求項23記載の方法。
【請求項２５】
骨内針セットを動かすために、駆動装置を作動させる工程をさらに含む、請求項24記載の方法。
【請求項２６】
収納袋内に挿入する際に駆動装置が無菌ではない、請求項23〜25のいずれか一項記載の方法。
【請求項２７】
骨内針セットに結合されるよう構成された第一端と、該骨内針セットを駆動装置によって動かすことが可能であるように駆動装置に結合されるよう構成された第二端とを有する結合器を含み、収納アセンブリの改良点が以下を含む、駆動装置用の改良された収納アセンブリ：
内部、ならびに
第一の開口部を有し、該第一の開口部を結合器が覆うように結合器に結合されている第一端と、
第二の開口部を有する第二端と、
収納袋の第二端に結合されている、収納袋を締めて該第二の開口部を閉鎖し該内部を密閉するために引っ張り可能な少なくとも一つの引きひもと
を有する、収納袋。
【請求項２８】
収納袋が折りたたまれた構成であり、かつ第二端が第一端から引き離されて収納袋を展開された構成に動かすよう構成されている、請求項27記載の収納アセンブリ。
【請求項２９】
収納袋を折りたたまれた構成から展開された構成に動かすために引きひもが引っ張り可能であるよう収納袋が構成されている、請求項28記載の収納アセンブリ。
【請求項３０】
収納袋が第一端と第二端との間に複数の折り目を有する、請求項28記載の収納アセンブリ。
【請求項３１】
収納袋が実質的に無菌である、請求項27記載の収納アセンブリ。
【請求項３２】
使用者が第二端を第一端から引き離して収納袋を展開された構成に動かすまで収納袋を折りたたまれた位置に維持するための、収納袋に結合されるよう構成されている少なくとも一つの保持ストリップをさらに含む、請求項28記載の収納アセンブリ。
【請求項３３】
収納袋を折りたたまれた構成から展開された構成に動かすのに十分な力が加えられた場合に、少なくとも一つの保持ストリップが、収納袋の第一および第二端のうちの少なくとも一つから分離するよう構成されている、請求項32記載の収納アセンブリ。
【請求項３４】
保持ストリップが収納袋の第一および第二端のうちの一つから分離した場合に、収納袋が、展開された構成に動くことができる、請求項32記載の収納アセンブリ。
【請求項３５】
保持ストリップが感圧型接着剤を含む、請求項32記載の収納アセンブリ。
【請求項３６】
引きひもが、結び合わされて第二の開口部を閉鎖の状態に保つよう構成された二つの端部を有する、請求項27記載の収納アセンブリ。
【請求項３７】
少なくとも一つの引きひもが、収納袋の第二端と一体である、請求項27記載の収納アセンブリ。
【請求項３８】
少なくとも一つの引きひもが、使用者に把持されるよう構成された少なくとも一つの開口部を含む、請求項37記載の収納アセンブリ。
【請求項３９】
以下を含むキット：
請求項27〜38のいずれか一項記載の収納アセンブリ；および
結合器に結合されるよう構成されている骨内針セット。
【請求項４０】
骨内針セットがカニューレおよびスタイレットのうちの少なくとも一つを含む、請求項39記載のキット。
【請求項４１】
結合器に結合されるよう構成されている駆動装置をさらに含む、請求項39記載のキット。
【請求項４２】
切断面の露出を防止するため、カニューレおよびスタイレットのうちの少なくとも一つが鋭利物保護器内に配置可能であるように構成されている少なくとも一つの鋭利物保護器をさらに含む、請求項41記載のキット。
【請求項４３】
以下の工程を含む方法：
収納アセンブリの収納袋内に駆動装置を挿入する工程；
開口部を有する収納袋に結合された結合器に、駆動装置を結合する工程；および
収納袋を締めて該開口部を閉鎖するために、少なくとも一つの引きひもを引っ張る工程。
【請求項４４】
収納袋に結合された少なくとも一つの保持ストリップによって、収納袋が展開された構成に動くことが防止される、
収納袋が展開された構成に動くことを可能にするために収納袋から少なくとも一つの保持ストリップを分離させるのに十分な力を加える工程をさらに含む、請求項43記載の方法。
【請求項４５】
収納袋を閉鎖の状態に保つために、少なくとも一つの引きひもの二つの端部を結び合わせる工程をさらに含む、請求項43記載の方法。
【請求項４６】
骨内針セットを結合器に結合する工程をさらに含む、請求項43記載の方法。
【請求項４７】
骨内針セットを動かすために、駆動装置を作動させる工程をさらに含む、請求項46記載の方法。
【請求項４８】
収納袋内に挿入する際に駆動装置が無菌ではない、請求項43〜47のいずれか一項記載の方法。
【請求項４９】
骨内針セットに結合されるよう構成された第一端と、該骨内針セットを駆動装置によって動かすことが可能であるように駆動装置に結合されるよう構成された第二端とを有する結合器を含み、収納アセンブリの改良点が
第一の開口部を有し、該第一の開口部を結合器が覆うように結合器に結合されている第一端と、
第二の開口部を有する第二端と
を有する収納袋
を含み、
該第二端が該第一端から遠ざかるように転がって収納袋を広がった構成に動かすことが可能であるように、該収納袋が巻かれた構成であり；かつ
駆動装置が結合器に結合可能かつ該第二の開口部が閉鎖して該駆動装置を収納袋内に密閉することが可能であるように、該収納袋が構成されている、
駆動装置用の改良された収納アセンブリ。
【請求項５０】
収納袋が実質的に無菌である、請求項49記載の収納アセンブリ。
【請求項５１】
駆動装置が結合器の第一端に結合されている場合、該駆動装置が収納袋の内部に在るように、使用者が収納袋を広がった構成に動かすことが可能である、請求項49記載の収納アセンブリ。
【請求項５２】
収納袋が広がった構成にある場合、第二端を束ねることによって、使用者が第二の開口部を閉鎖することが可能である、請求項51記載の収納アセンブリ。
【請求項５３】
以下を含むキット：
請求項49〜52のいずれか一項記載の収納アセンブリ；および
結合器に結合されるよう構成されている骨内針セット。
【請求項５４】
骨内針セットがカニューレおよびスタイレットのうちの少なくとも一つを含む、請求項53記載のキット。
【請求項５５】
結合器に結合されるよう構成されている駆動装置をさらに含む、請求項54記載のキット。
【請求項５６】
切断面の露出を防止するため、カニューレおよびスタイレットのうちの少なくとも一つが鋭利物保護器内に配置可能であるように構成されている少なくとも一つの鋭利物保護器をさらに含む、請求項55記載のキット。
【請求項５７】
以下の工程を含む方法：
収納アセンブリの収納袋内に駆動装置を挿入する工程；
開口端を有する収納袋に結合された結合器に、駆動装置を結合する工程；
結合器から遠ざかるように収納袋を広げて収納袋を広がった構成に動かす工程；および
収納袋の開口端を閉鎖する工程。
【請求項５８】
駆動装置を収納袋の内部に密閉するように、収納袋の開口端を束ねる工程をさらに含む、請求項57記載の方法。
【請求項５９】
骨内針セットを結合器に結合する工程をさらに含む、請求項58記載の方法。
【請求項６０】
骨内針セットを動かすために、駆動装置を作動させる工程をさらに含む、請求項59記載の方法。
【請求項６１】
収納袋内に挿入する際に駆動装置が無菌ではない、請求項57〜60のいずれか一項記載の方法。
【請求項６２】
骨内針セットに結合されるよう構成された第一端と、該骨内針セットを駆動装置によって動かすことが可能であるように駆動装置に結合されるよう構成された第二端とを有する結合器を含み、収納アセンブリの改良点が以下を含む、駆動装置用の改良された収納アセンブリ：
第一の開口部および第二の開口部を有する前面部分であって、該第一の開口部を結合器が覆うように該前面部分が結合器に結合され、かつ該結合器に駆動装置が結合可能であるように駆動装置を受け入れるよう該第二の開口部が構成されている、前面部分と、
該前面部分に可動式に結合された、結合器に結合された駆動装置を収容するために該前面部分と協働するよう構成されている背面部分と
を含む、実質的に剛性のケーシング。
【請求項６３】
ケーシングが実質的に無菌である、請求項62記載の収納アセンブリ。
【請求項６４】
互いに結合された場合に、駆動装置の形をしたチャンバーの範囲を定めるようハウジングの第一および第二の部分が協働する、請求項62記載の収納アセンブリ。
【請求項６５】
背面部分が、前面部分にヒンジピンによって回転可能に結合されている、請求項62記載の収納アセンブリ。
【請求項６６】
背面部分が、前面部分にリビングヒンジによって回転可能に結合されている、請求項62記載の収納アセンブリ。
【請求項６７】
背面部分が、前面部分に脱着可能に結合されている、請求項62記載の収納アセンブリ。
【請求項６８】
使用者がケーシング内に配置された駆動装置のトリガーを引くことを可能にするよう構成された柔軟な膜を、ケーシングの前面部分が含む、請求項62記載の収納アセンブリ。
【請求項６９】
以下を含むキット：
請求項62〜68のいずれか一項記載の収納アセンブリ；および
結合器に結合されるよう構成されている骨内針セット。
【請求項７０】
骨内針セットがカニューレおよびスタイレットのうちの少なくとも一つを含む、請求項69記載のキット。
【請求項７１】
結合器に結合されるよう構成されている駆動装置をさらに含む、請求項69記載のキット。
【請求項７２】
切断面の露出を防止するため、カニューレおよびスタイレットのうちの少なくとも一つが鋭利物保護器内に配置可能であるように構成されている少なくとも一つの鋭利物保護器をさらに含む、請求項71記載のキット。
【請求項７３】
以下の工程を含む、標的領域の脱無菌化（desterilization）を防止する方法：
収納アセンブリの実質的に剛性のケーシングの前面部分内に駆動装置を挿入する工程；
該ケーシングに結合された結合器に駆動装置を結合する工程；および
該ケーシングの前面部分と背面部分が協働して駆動装置を実質的に封入するように、該ケーシングの背面部分を閉鎖する工程。
【請求項７４】
骨内針セットを結合器に結合する工程をさらに含む、請求項73記載の方法。
【請求項７５】
骨内針セットを動かすために、駆動装置を作動させる工程をさらに含む、請求項74記載の方法。
【請求項７６】
前記前面部分内に挿入する際に駆動装置が無菌ではない、請求項73〜75のいずれか一項記載の方法。
【発明の詳細な説明】
【技術分野】
【０００１】
関連出願の相互参照
本出願は、その全体が参照により組み入れられる、2013年3月15日に出願された米国特許出願第13/836,019号に由来する優先権の恩典を主張する。
【０００２】
1. 発明の分野
本発明は概して、収納アセンブリ（例えば、バッグ、ケーシング、および結合器）、より詳細には、しかし限定としてではなく、収納アセンブリ、および方法、および駆動装置（例えば、手動および電動の駆動装置）を受け入れるかつ／または密閉するよう構成された収納アセンブリを含むキットに関する。
【背景技術】
【０００３】
2. 関連技術の説明
収納アセンブリの例は、例えば、米国特許出願公開第2009/0194446号（特許文献1）および米国特許第7,850,620号（特許文献2）に示されており、これらは現在共に本特許出願の所有者に共有されている。
【先行技術文献】
【特許文献】
【０００４】
【特許文献１】米国特許出願公開第2009/0194446号
【特許文献２】米国特許第7,850,620号
【発明の概要】
【０００５】
概要
本開示は、駆動装置（例えば、手動および電動の駆動装置）を受け入れるかつ／または密閉するよう構成された収納アセンブリ、および例えば密閉された駆動装置の骨内針セットへの結合（例えば、直接的または間接的）を可能にするようさらに構成されうる収納アセンブリ、ならびに関連する方法およびキットの態様を含む。本収納アセンブリ、キット、および方法の態様は、数例を挙げると、骨内(IO)空間へのアクセスを確立する手法、骨髄生検、および開頭術などの手法において有用でありうる。
【０００６】
本収納アセンブリのいくつかの態様は、駆動装置用の改良された収納アセンブリを含み、この収納アセンブリは、骨内針セットに結合されるよう構成された第一端と、該骨内針セットを駆動装置によって動かすことが可能であるように駆動装置に結合されるよう構成された第二端とを有する結合器を含み、この収納アセンブリの改良点は、内部および次のものを有する収納袋を含む：第一の開口部を有し、かつ該第一の開口部を結合器が覆うように結合器に結合されている第一端；駆動装置を受け入れる大きさに作られた第二の開口部から離間している第二端；該第二端と第二の開口部との間のフラップ；ならびにロッドの周りに収納袋の少なくとも一部を巻きつけることによって第二の開口部を閉鎖および密閉することが可能であるように該フラップに結合可能であるロッド。いくつかの態様において、収納袋は実質的に無菌である。いくつかの態様において、ロッドが収納袋に結合されている。いくつかの態様において、ロッドの少なくとも1つの外側部分は、円形の断面を含み、かつ屈曲して、第二の開口部の閉鎖後に収納袋の第二端が収納袋の第一端から遠ざかることを防止するよう構成されている。いくつかの態様において、収納アセンブリは、収納袋が結合器から分離するのを防止するために収納袋の第一端上に配置されているリングを含む。
【０００７】
本収納アセンブリのいくつかの態様は、駆動装置用の改良された収納アセンブリを含み、この収納アセンブリは、骨内針セットに結合されるよう構成された第一端と、該骨内針セットを駆動装置によって動かすことが可能であるように駆動装置に結合されるよう構成された第二端とを有する結合器を含み、この収納アセンブリの改良点は、内部および次のものを有する収納袋を含む：第一の開口部を有し、該第一の開口部を結合器が覆うように結合器に結合されている第一端；第二の開口部と、該第二の開口部に隣接する第一の係止可能なトラックと、該第二の開口部に隣接する第二の係止可能なトラックとを有する第二端；ならびに該第一および第二の係止可能なトラックに可動式に結合され、かつ該第一の係止可能なトラックを該第二の係止可能なトラックに係合させて該第二の開口部を閉鎖し該内部を密閉するために第一の方向に動かされるよう構成されているタブ。いくつかの態様において、収納袋は実質的に無菌である。
【０００８】
本収納アセンブリのいくつかの態様は、駆動装置用の改良された収納アセンブリを含み、この収納アセンブリは、骨内針セットに結合されるよう構成された第一端と、該骨内針セットを駆動装置によって動かすことが可能であるように駆動装置に結合されるよう構成された第二端とを有する結合器を含み、この収納アセンブリの改良点は、内部および次のものを有する収納袋を含む：第一の開口部を有し、該第一の開口部を結合器が覆うように結合器に結合されている第一端；第二の開口部を有する第二端；および収納袋の第二端に結合されている、収納袋を締めて該第二の開口部を閉鎖し該内部を密閉するために引っ張り可能な少なくとも一つの引きひも。いくつかの態様において、収納袋は折りたたまれた構成であり、かつ第二端は第一端から引き離されて収納袋を展開された構成に動かすよう構成されている。いくつかの態様において、収納袋を折りたたまれた構成から展開された構成に動かすために引きひもが引っ張り可能であるよう収納袋は構成されている。いくつかの態様において、収納袋は第一端と第二端との間に複数の折り目を有する。いくつかの態様において、収納袋は実質的に無菌である。いくつかの態様において、収納アセンブリは、使用者が第二端を第一端から引き離して収納袋を展開された構成に動かすまで収納袋を折りたたまれた位置に維持するための、収納袋に結合されるよう構成されている少なくとも一つの保持ストリップをさらに含む。いくつかの態様において、少なくとも一つの保持ストリップは、収納袋を折りたたまれた構成から展開された構成に動かすのに十分な力が加えられた場合に、収納袋の第一および第二端のうちの少なくとも一つから分離するよう構成されている。いくつかの態様において、収納袋は、保持ストリップが収納袋の第一および第二端のうちの一つから分離した場合に、展開された構成に動くことができる。いくつかの態様において、保持ストリップは、感圧型接着剤を含む。いくつかの態様において、引きひもは、結び合わされて第二の開口部を閉鎖の状態に保つよう構成された二つの端部を有する。いくつかの態様において、少なくとも一つの引きひもは、収納袋の第二端と一体である。いくつかの態様において、少なくとも一つの引きひもは、使用者に把持されるよう構成された少なくとも一つの開口部を含む。
【０００９】
本収納アセンブリのいくつかの態様は、駆動装置用の改良された収納アセンブリを含み、この収納アセンブリは、骨内針セットに結合されるよう構成された第一端と、該骨内針セットを駆動装置によって動かすことが可能であるように駆動装置に結合されるよう構成された第二端とを有する結合器を含み、この収納アセンブリの改良点は、第一の開口部を有し、該第一の開口部を結合器が覆うように結合器に結合されている第一端；および第二の開口部を有する第二端を有する収納袋を含み、ここで、該第二端が該第一端から遠ざかるように転がって収納袋を広がった構成に動かすことが可能であるように、該収納袋が巻かれた構成であり、かつ駆動装置が結合器に結合可能かつ該第二の開口部が閉鎖して該駆動装置を収納袋内に密閉することが可能であるように、該収納袋が構成されている。いくつかの態様において、収納袋は実質的に無菌である。いくつかの態様において、駆動装置が結合器の第一端に結合されている場合、該駆動装置が収納袋の内部に在るように、使用者は収納袋を広がった構成に動かすことが可能である。いくつかの態様において、収納袋が広がった構成にある場合、第二端を束ねることによって、使用者は第二の開口部を閉鎖することが可能である。
【００１０】
本収納アセンブリのいくつかの態様は、駆動装置用の改良された収納アセンブリを含み、この収納アセンブリは、骨内針セットに結合されるよう構成された第一端と、該骨内針セットを駆動装置によって動かすことが可能であるように駆動装置に結合されるよう構成された第二端とを有する結合器を含み、この収納アセンブリの改良点は、次のものを含む、実質的に剛性のケーシングを含む：第一の開口部および第二の開口部を有する前面部分であって、該第一の開口部を結合器が覆うように該前面部分が結合器に結合され、かつ該結合器に駆動装置が結合可能であるように駆動装置を受け入れるよう該第二の開口部が構成されている、前面部分；ならびに該前面部分に可動式に結合された、結合器に結合された駆動装置を収容するために該前面部分と協働するよう構成されている背面部分。いくつかの態様において、ケーシングは実質的に無菌である。いくつかの態様において、ハウジングの第一および第二の部分は、互いに結合された場合に、駆動装置の形をしたチャンバーの範囲を定めるよう協働する。いくつかの態様において、背面部分は、前面部分にヒンジピンによって回転可能に結合されている。いくつかの態様において、背面部分は、前面部分にリビングヒンジによって回転可能に結合されている。いくつかの態様において、背面部分は、前面部分に脱着可能に結合されている。いくつかの態様において、ケーシングの前面部分は、使用者がケーシング内に配置された駆動装置のトリガーを引くことを可能にするよう構成された柔軟な膜を含む。
【００１１】
本キットのいくつかの態様は、上記の特徴の任意のものを有する収納アセンブリと、結合器に結合されるよう構成された骨内針セットとを含む。いくつかの態様において、キットは、結合器に結合されるよう構成された駆動装置を含む。いくつかの態様において、骨内針セットは、カニューレおよびスタイレットのうちの少なくとも一つを含む。いくつかの態様において、キットは、切断面の露出を防止するため、カニューレおよびスタイレットのうちの少なくとも一つが鋭利物保護器内に配置可能であるように構成されている、少なくとも一つの鋭利物保護器を含む。
【００１２】
本方法のいくつかの態様は、収納アセンブリの収納袋内に駆動装置を挿入する工程；開口部と、駆動装置から該開口部よりも遠くに配置されたロッドとを有する収納袋に結合された結合器に、駆動装置を結合する工程；および開口部を閉鎖するために、結合器に向かってロッドを回転させる工程を含む。いくつかの態様において、本方法は、骨内針セットを結合器に結合する工程をさらに含む。いくつかの態様において、本方法は、骨内針セットを動かすために、駆動装置を作動させる工程を含む。いくつかの態様において、収納袋内に挿入する際、駆動装置は無菌ではない。
【００１３】
本方法のいくつかの態様は、収納アセンブリの収納袋内に駆動装置を挿入する工程；開口部を有する収納袋に結合された結合器に、駆動装置を結合する工程；駆動装置から離間して該開口部よりも遠くにある収納袋のポケット内に、ロッドを挿入する工程；および開口部を閉鎖するために、結合器に向かってロッドを回転させる工程を含む。いくつかの態様において、本方法は、骨内針セットを結合器に結合する工程をさらに含む。いくつかの態様において、本方法は、骨内針セットを動かすために、駆動装置を作動させる工程を含む。いくつかの態様において、収納袋内に挿入する際、駆動装置は無菌ではない。
【００１４】
本方法のいくつかの態様は、収納アセンブリの収納袋内に駆動装置を挿入する工程；開口部を有する収納袋に結合された結合器に、駆動装置を結合する工程；および第一の係止可能なトラックを第二の係止可能なトラックに係合させて該開口部を閉鎖するために、第一の方向にタブを動かす工程を含む。いくつかの態様において、本方法は、骨内針セットを結合器に結合する工程をさらに含む。いくつかの態様において、本方法は、骨内針セットを動かすために、駆動装置を作動させる工程を含む。いくつかの態様において、収納袋内に挿入する際、駆動装置は無菌ではない。
【００１５】
本方法のいくつかの態様は、収納アセンブリの収納袋内に駆動装置を挿入する工程；開口部を有する収納袋に結合された結合器に、駆動装置を結合する工程；および収納袋を締めて該開口部を閉鎖するために、少なくとも一つの引きひもを引っ張る工程を含む。いくつかの態様において、収納袋に結合された少なくとも一つの保持ストリップによって、収納袋が展開された構成に動くことが防止され、かつ本方法は、収納袋が展開された構成に動くことを可能にするために、収納袋から少なくとも一つの保持ストリップを分離させるのに十分な力を加える工程をさらに含む。いくつかの態様において、本方法は、収納袋を閉鎖の状態に保つために、少なくとも一つの引きひもの二つの端部を結び合わせる工程を含む。いくつかの態様において、本方法は、骨内針セットを結合器に結合する工程をさらに含む。いくつかの態様において、本方法は、骨内針セットを動かすために、駆動装置を作動させる工程を含む。いくつかの態様において、収納袋内に挿入する際、駆動装置は無菌ではない。
【００１６】
本方法のいくつかの態様は、収納アセンブリの収納袋内に駆動装置を挿入する工程；開口端を有する収納袋に結合された結合器に、駆動装置を結合する工程；結合器から遠ざかるように収納袋を広げて収納袋を広がった構成に動かす工程；および収納袋の開口端を閉鎖する工程を含む。いくつかの態様において、本方法は、駆動装置を収納袋の内部に密閉するように、収納袋の開口端を束ねる工程を含む。いくつかの態様において、本方法は、骨内針セットを結合器に結合する工程をさらに含む。いくつかの態様において、本方法は、骨内針セットを動かすために、駆動装置を作動させる工程を含む。いくつかの態様において、収納袋内に挿入する際、駆動装置は無菌ではない。
【００１７】
本方法（例えば、標的領域の脱無菌化（desterilization）を防止する方法）のいくつかの態様は、収納アセンブリの実質的に剛性のケーシングの前面部分内に駆動装置を挿入する工程；該ケーシングに結合された結合器に駆動装置を結合する工程；および該ケーシングの前面部分と背面部分が協働して駆動装置を実質的に封入するように、該ケーシングの背面部分を閉鎖する工程を含む。いくつかの態様において、本方法は、骨内針セットを結合器に結合する工程をさらに含む。いくつかの態様において、本方法は、骨内針セットを動かすために、駆動装置を作動させる工程を含む。いくつかの態様において、収納袋内に挿入する際、駆動装置は無菌ではない。
【００１８】
本願の任意の収納アセンブリ、方法、およびキットの任意の態様は、任意の記載された要素および／または特徴を含み／包含し／内包し／有し得るというよりは、むしろ、任意の記載された要素および／または特徴からなるか、もしくは本質的にからなることができる。したがって、任意の請求項において、「からなる」もしくは「本質的にからなる」という用語は、非限定的な連結動詞を使用した場合に他にそうであるような範囲から所定の請求項の範囲を変更するために、上記の任意の非限定的な連結動詞を代替できる。
【００１９】
1つの態様の特徴もしくは複数の特徴は、本開示もしくは他の態様の本質によって明白に禁じられていない場合は、記載もしくは説明されていなくても、他の態様に適用してよい。
【００２０】
上記の態様等に関連する詳細を以下に提示する。
【図面の簡単な説明】
【００２１】
以下の図面は、限定ではなく例示の目的で説明するものである。簡潔および明確にするために、所定の構造が現れるすべての図面において、構造のすべての特徴に表示が付けられているとは限らない。同一の参照番号は必ずしも同一の構造を表示しない。むしろ、同一の参照番号は、同一でない参照番号がそうであってよいように、類似した特徴もしくは類似した機能性を持つ特徴を表示するのに用いられてよい。図面では、当業者が理解するであろう図示記号を用いて記載された要素を説明する。図面中に示された本願の収納アセンブリおよびその構成要素の態様は、少なくとも示された態様については縮尺通りに描かれている。
【００２２】
【図１Ａ】カニューレおよびスタイレットを有する先行技術の骨内装置の透視図を示す。
【図１Ｂ】別の先行技術のカニューレの透視図を示す。
【図１Ｃ】図1Bのカニューレ中に配置されたスタイレットを有する先行技術のIO装置の透視図を示す。
【図１Ｄ】図1Bのカニューレ中に配置されたスタイレットを有する先行技術のIO装置の透視図を示す。
【図２】先行技術の駆動装置の垂直断面図を示す。
【図３】先行技術の結合器アセンブリおよび先行技術のIO装置を持つ図2の駆動装置の透視図を示す。
【図４】図3の結合器アセンブリおよびIO装置を示す。
【図５】図2の駆動装置の部分および図3の結合器アセンブリおよびIO装置の一部分を示す。
【図６Ａ】図3の結合器アセンブリの様々な図を示す。
【図６Ｂ】図3の結合器アセンブリの様々な図を示す。
【図６Ｃ】図3の結合器アセンブリの様々な図を示す。
【図７Ａ】先行技術のキットの様々な図を示す。
【図７Ｂ】先行技術のキットの様々な図を示す。
【図７Ｃ】先行技術のキットの様々な図を示す。
【図８Ａ】収納袋およびロッドを有する収納アセンブリの開いている構成を示す。
【図８Ｂ】図8Aの収納アセンブリの閉鎖している構成を示す。
【図９Ａ】収納袋およびタブを有する収納アセンブリの開いている構成を示す。
【図９Ｂ】図9Aの収納アセンブリの閉鎖している構成を示す。
【図１０Ａ】収納袋および少なくとも一つ（例えば二つ）の引きひもを有する収納アセンブリの開いている構成を示す。
【図１０Ｂ】図10Aの収納アセンブリの部分的に閉鎖している構成（例えば、部分的に締められている構成）を示す。
【図１１Ａ】転がすことが可能なおよび／または転がすことが不可能な第二端を有する収納袋を有する収納アセンブリの開いている構成（例えば、巻かれた構成）を示す。
【図１１Ｂ】図11Aの収納アセンブリの部分的に閉鎖している構成（例えば、部分的に広がった構成）を示す。
【図１１Ｃ】図11Aの収納アセンブリの閉鎖している構成（例えば、広がった構成）を示す。
【図１２Ａ】可動式の背面部分を有する実質的に剛性のケーシングを有する収納アセンブリの開いている構成を示す。
【図１２Ｂ】図12Aの収納アセンブリの閉鎖している構成を示す。
【発明を実施するための形態】
【００２３】
例示的態様の説明
「結合した」という用語は接続したと定義されるが、必ずしも直接的にではなく、そして必ずしも機械的にではない。2つの物品は、互いに結合できる場合に「結合可能」である。文脈によって明らかに異なることを要するのでない場合は、結合可能な物品は分離可能でもあり、逆もまた同様である。第一構造が第二構造と結合可能である非限定的な方法の1つは、第一構造について第二構造と結合するように構成される（あるいは結合可能に構成される）ことである。「1つ（a）」および「1つ（an）」という用語は、本開示において明らかに異なることを要するのでない場合は、1つまたは複数と定義される。「実質的に」という用語は、当業者によって理解されるように、主として指定されたものであるが、必ずしも完全に指定されたものではないと定義される（そして指定されたものを包含する。例えば、実質的に90度は90度を包含し、実質的に平行は平行を包含する。）。開示された任意の態様において、「実質的に」、「およそ」、および「約」という用語は、指定されたもの「の［百分率の］範囲内に」で代替されてよく、百分率は0.1、1、5、および10％を包含する。
【００２４】
「含む（comprise）」（ならびに「含む（comprises）」および「含む（comprising）」等の含むの任意の形態）、「有する（have）」（ならびに「有する（has）」および「有する（having）」等の有するの任意の形態）、「包含する（include）」（ならびに「包含する（includes）」および「包含する（including）」等の包含するの任意の形態）、および「内包する（contain）」（ならびに「内包する（contains）」および「内包する（containing）」等の内包するの任意の形態）は非限定的な連結動詞である。結果として、1つまたは複数の要素もしくは特徴を「含む」、「有する」、「包含する」、もしくは「内包する」収納アセンブリもしくはキットまたは収納アセンブリもしくはキットの構成要素は、それらの1つまたは複数の要素もしくは特徴を保有するが、それらの要素もしくは特徴のみの保有に限定されない。同様に、1つまたは複数の段階を「含む」、「有する」、「包含する」、もしくは「内包する」方法は、それらの1つまたは複数の段階を保有するが、それらの1つまたは複数の段階のみの保有に限定されない。さらに、「第一」および「第二」等の用語は、構造もしくは特徴を識別するためにのみ使用され、異なる構造もしくは特徴を特定の順序に限定しない。
【００２５】
さらに、一定の方法で構成された収納アセンブリ、ならびに収納アセンブリを含むキットおよび方法は、少なくともその方法で構成されているが、具体的に記載された方法とは他の方法でも構成され得る。本願の電動の駆動装置の態様は、選択された標的領域もしくは標的部位の中へIO装置を10秒以内で挿入するのに使用してよい。しかしながら、本開示の様々な教示は電動の駆動装置の使用に限定されない。手動の駆動装置およびバネ動力の駆動装置も、本開示の教示を組み入れたIO装置および本発明の収納アセンブリの態様とともに使用してよい。
【００２６】
駆動装置から延びるシャフトの一端を骨内装置の一端と解放可能に係合させるために、本開示の教示を組み入れた様々な種類の結合器アセンブリを満足のいくように使用してよい。いくつかの態様について、電動の駆動装置は結合器アセンブリの一端に配置された掛け金機構と解放可能に係合するように機能する概して六角形の断面を持つ一端を有する駆動シャフトを包含してよい。いくつかの態様について、本開示の教示を組み入れた結合器アセンブリは「手を使わない（hands free）」結合器、簡易切断もしくは簡易脱着結合器、および／またはポートアセンブリと呼ばれてよい。
【００２７】
手動の駆動装置の例は、2005年1月25日に提出された手動骨内装置という名称の同時係属中の特許出願番号第11/042,912号（US 2005/0165404として公開された）に示されている。本願において「流体」という用語は、骨髄の生検もしくは吸引または骨髄もしくは他の標的部位との流体の連結に関連する血液、水、食塩溶液、IV溶液、血漿等であるがこれらに限定されない液体、または液体、粒子状物質、溶解薬物、および／または薬剤の任意の混合物を包含するように使用されてよい。本願において「流体」という用語は、任意の体液および／または、骨髄および／または標的領域から回収されてよい細胞等の粒子状物質を内包する液体を包含するように使用されてもよい。
【００２８】
本願において「採取する（harvest）」および「採取する（harvesting）」という用語は、骨および／または骨髄生検ならびに骨髄吸引を包含するように使用されてよい。骨および／または骨髄生検（ときどき「針生検」と呼ばれる）は、生検目的で選択された標的領域から骨および／または骨髄の相対的に小さい破片もしくは標本を取り出すように概して記載されてよい。骨髄吸引（ときどき「骨髄サンプリング」と呼ばれる）は、選択された標的領域からより大量の骨髄を取り出すように概して記載されてよい。比較的大量の骨髄は、診断、移植、および／または研究の目的で使用されてよい。例えば、いくつかの幹細胞研究技術は比較的大量の骨髄を要するかもしれない。
【００２９】
本願において「挿入部位」という用語は、骨および関連する骨髄の中へ骨内装置が挿入されてよい、もしくはドリルで穴を開けて入れられてよい骨上の位置を記載するのに使用されてよい。挿入部位は概して皮膚および軟組織で覆われている。「標的領域」という用語は、生きているヒトの生物学的材料等の生物学的材料上もしくは生物学的材料内の任意の位置を指す。
【００３０】
本願において「骨内（IO）装置」という用語は、骨内空間もしくは骨内部分に到達させるように機能する任意の中空の針、中空のドリルビット、ペネトレータアセンブリ、ボーンペネトレータ、カテーテル、カニューレ、トロカール、スタイレット、内部ペネトレータ、外部ペネトレータ、IO針、生検針、吸引針、IO針セット、生検針セット、もしくは吸引針セットを包含するが、これらに限定されずに使用されてよい。そのようなIO装置は、少なくとも部分的には304ステンレススチール等の金属合金ならびに針および類似した医療装置に関連する他の生体適合性材料から形成されてよい。
【００３１】
本願の収納アセンブリの態様は、国際特許出願番号第PCT/US2007/078207号（WO 2008/033874として公開された）に開示されたもの等の医療処置トレイに包含され得る。
【００３２】
図1A〜7Cに示された装置および構成要素は先行技術の装置および構成要素であって、それらについての以下の記載は、本願の収納アセンブリ、キット、および方法の態様と一貫して使用され得る装置および構成要素の種類について状況を読者に伝えるために提供される。
【００３３】
ここで図面を参照し、特に図1Aを参照すると、図面中に示され、符番100で指定されるのは本願の骨内（IO）針セットもしくは吸引針セットの一態様である。吸引針セット100は、中空の外部ペネトレータもしくはカニューレ110a、対応する内部ペネトレータもしくはスタイレット（もしくはトロカール）120、およびハブアセンブリ130aを含む。示された態様において、カニューレ110aの第一端111aおよびスタイレット120の第一端121は、骨および関連する骨髄に貫入するように機能するか、もしくは構成される。カニューレ110aの第一端111aおよびスタイレット120の第一端121の様々な特徴は、中により詳細に示される。IO針セット100の第一端101は、カニューレ110aの第一端111aおよびスタイレット120の第一端121に概して対応する。
【００３４】
示された態様において、カニューレ110aはカニューレの外部分上に配置された複数のマーク104を包含する。マーク104は、「位置決めマーク」もしくは「深度表示」と呼ばれてよく、骨および関連する骨髄の中への針セット100の貫入深度を表示するのに使用されてよい。いくつかの態様において、カニューレ110aはおよそ60ミリメートルの長さおよび／またはおよそ0.017インチの公称外径を有してよい（例えば16ゲージ針の寸法に概して対応する）。カニューレ110aおよび／またはスタイレット120は、ステンレススチールもしくは他の適切な生体適合性材料から形成されてよい。いくつかの態様において、マーク104はカニューレ110aの外部分上に1センチメートルの間隔で距離をあけられる。いくつかの態様において、1つまたは複数の側面ポート106はカニューレ110aの外部分中に第一端111aから距離をあけて形成されてよい。
【００３５】
ハブアセンブリ130aは、カニューレ110aの長手側のボアもしくは管腔内にスタイレット120を解放可能に配置するように構成および／または使用されてよい。示された態様において、ハブアセンブリ130aは第一ハブ140aおよび第二ハブ150aを包含する。第一端111aと反対側のカニューレ110aの第二端は、ハブ140aとしっかりと係合してよい。第一端121と反対側のスタイレット120の第二端は、ハブ150aの第一端としっかりと係合してよい。図1Aに示されるように、カニューレ110aはハブ140aの第一端141から長手方向に延びてよい。スタイレット120もハブ150aの第一端から延びてよい。ハブ140aの第二端は、第二ハブ150aの第一端内に配置された対応するルアーロック取付具と解放可能に係合してよい標準的なルアーロック取付具を包含してよい。ハブ140aの第二端上に配置されたルアーロック取付具は、カニューレ110a中のボアもしくは管と流体連結してよく、そして標準的なシリンジ型取付具および／または標準的な静脈内（IV）接続と解放可能に係合するように機能してよい。示された態様において、ハブ150aはハブアセンブリ130aの第二端132およびIO針セット100の第二端102に概して対応する第二端152を包含する。ハブ140aは、ハブアセンブリ130aの第一端131に概して対応してよい第一端141を包含してよい。カニューレ110aは、ハブ140aの第一端141およびハブアセンブリ130の第一端131から長手方向に延びてよい。
【００３６】
示された態様において、以下により詳細に記載されるように、ハブアセンブリの第二端は、結合器アセンブリ中に形成された容器内に配置されるように機能してよい。本開示の1つの特徴は、結合器アセンブリの第一端中に配置された第一の容器内に解放可能に係合してよいハブアセンブリを形成することを包含してよい（例えば図6A〜6Bに示されるように、延びたコア260の第一端261の近位の容器263）。容器263の寸法および構成は、ハブアセンブリ130aが容器263中に配置される場合は、ハブ140aに対してハブ150aの回転を防ぐように選択されてよい（例えば、骨および関連する骨髄の中へIO装置を挿入する（回転させる）間）。電動の駆動装置は、結合器アセンブリの第二端中に配置された第二の容器と解放可能に係合してよい（例えば図6A〜6Bに示されるように、延びたコア260の第二端262の近位の容器264）。
【００３７】
示された態様において、骨内装置もしくは吸引針セット100aは、ハブ140aの第二端142から距離をあけたハブ150aの第一端151を包含する。ハブ150aの第一端151から延びるスタイレット120の部分は、カニューレ110aの管腔もしくは長手側のボア118内にスライド可能に配置されて示される。ハブアセンブリ130aは、ハブ140aの第一端141に概して対応してよい第一端131を包含してよい。ハブアセンブリ130aは、示されるように、ハブ150aの第二端152およびハブアセンブリ130aの第二端102に概して対応してよい第二端132も包含してよい。カニューレ110aは、ハブ140aの第一端141に付着してよく、そして第一端141から延びてよい。ハブ140aの第二端142は、第二ハブ150aの第一端151中に配置されたルアーロック接続もしくは取付具の対応する部分と解放可能に係合するように機能する典型的なルアーロック接続もしくは取付具の半分を包含してよい。図1Aに示されたもの等の態様について、ハブアセンブリ130aの第一端131は、第一ハブ140aの第一端141に対応してよい。第二ハブ150aの第二端152は、ハブアセンブリ130aの第二端132および吸引針セット100aの第二端102に対応してよい。
【００３８】
ハブアセンブリ130aの少なくとも一部分は、図6A〜6Bに示されるように、結合器アセンブリ250の第一端251の近位に配置された容器263の概して六角形の断面内に受け取られるように機能する概して六角形の断面を有してよい。いくつかの態様について、図1Aに示されるように、縮外径部分143に隣接して配置された第一ハブ140aの部分は、概して六角形の断面を有してよい。他の態様において、電動の駆動装置を結合器アセンブリの一端と、そして骨内装置を結合器アセンブリの反対端と解放可能に係合させるために、六角形以外の様々な断面を満足のいくように使用してよい。吸引針セットは、スタイレットや、関連するカニューレ、カテーテル、もしくは外部ペネトレータと組み合わせたスタイレットまたはペネトレータを包含してよい。しかしながら、本開示の教示に従って形成された生検針は、スタイレットや、スタイレットもしくは内部ペネトレータを包含してもしなくてもよい。
【００３９】
ハブ140aは、その中に形成された開口部144を持つ第二端142を包含してよい。図6A〜6Bに説明されるように、通路はハブ140aの第二端142から第一端141に向かって延びてよい。通路は、カニューレ100aの管腔118と流体を連結するように機能してよい。図6A〜6Bに示されるように、ハブ140の第二端142は、ネジ山148等の従来型のルアーロック接続もしくは取付具の様々な特徴を包含してよく、対応するネジ山158はハブ150aの第一端151内に形成されてよい。
【００４０】
いくつかの適用について、ハブ140aおよびハブ150aは、例えば射出成形技術を用いて形成されてよい。そのような態様について、ハブ140aは第一端141および第二端142の間に配置された縮外径部分143を包含してよい。同じように、第二端152に隣接し、そして第二端152から第一端151の方向に延びる複数の隙間もしくは切り抜き153がハブ150a中に形成されてよい。縮径部分143および／または切り抜き153の構成および寸法は、関連する射出成形技術を最適化し、同時に関連するハブアセンブリ130aが本開示に記載されるように機能できるために必要とされる構成、寸法、および材料強度を提供するために変化してよい。
【００４１】
いくつかの態様において、スタイレット120の先端123はカニューレ110aの先端の比較的近くに配置されてよい。いくつかの適用について、スタイレット120の第一端121およびカニューレ110aの第一端111aは、隣接する切断面を形成するために同時に研削されてよい。研削端111aおよび121は同時に単一の切断ユニットを形成することになり、概して揃った切断端を形成してよい。本開示の教示に従って形成された他の種類の切断面は、以下で論じられるかもしれない（例えば図1B〜1Dを参照して記載されるように）。
【００４２】
図1B〜1Dは、本願の態様において、カニューレおよび／または関連するスタイレットの端部に隣接して形成されてよい切断面および先端の第二例を示す。示された態様において、外部ペネトレータもしくはカニューレ110gは、第一端111g中の開口部116に隣接して形成された複数の切断面114gを有する第一端111gを包含してよい。開口部116は、関連する長手側のボアもしくは管腔118の一部分と連結し、該一部分を形成してよい。いくつかの適用について、WO 2008/033874に記載されるように、切断面114gは放電加工機（EDM）技術等を用いて形成されてよい。示された態様において、第一端111gはカニューレ110gの他の部分に比べて、概して先細の構成もしくは縮外径を有する。他の態様において、第一端111gはカニューレ110gの他の部分の外径と等しい外径を有する（例えばカニューレ110gはカニューレの全長に沿って一定の外径を有し得る）。切断面114gは、例えば研削盤技術を用いて形成されてよい。示されたもの等のいくつかの態様において、カニューレ110gの端部111gは、その間にそれぞれの頂部115を持つ6つの研削切断面114gを包含してよい。先細の端部111gならびに複数の切断面114gおよび頂部115を持つ生検針セットおよび／または生検針を形成することで、結果として得られる生検針セットおよび／または生検針が本開示の教示に従って電動の駆動装置とともに使用された場合に、（例えば他の構成に比べて）改善された穿孔性能が提供されてよい。いくつかの適用について、らせん状の溝117は開口部116の近位の長手側のボア118内に形成されてよい。らせん状の溝117は、長手側のボア118内で生検標本もしくは骨髄標本を保持するのを支援してよい。例えば、らせん状の溝117がネジ山の巻（turns）の間に画定されるように、単一のネジ山はカニューレの長手側のボアもしくは管腔内に配置されてよい。WO 2008/033874に記載されるように、単一のネジ山を設置し、もしくは他の方法でらせん状の溝を形成するために、様々な技術および手続を満足のいくように使用してよい。
【００４３】
図1Cに示すように、生検針セット100gは、その中にスライド可能に配置されたスタイレットもしくは内部ペネトレータ120gを持つカニューレもしくは外部ペネトレータ110gを包含してよい。カニューレ110gおよびスタイレット120gの近位端は、図1Aに示されたカニューレ110aおよびスタイレット120のものと類似してよい（例えばハブ140aおよび150aをそれぞれ包含してよい）。いくつかの適用について、生検針セット100gの第一端101は挿入部位において皮膚および軟体組織への損傷を最小限にしてよい。いくつかの適用について、内部ペネトレータもしくはスタイレット120gは、その外部分上に形成され、関連する先端123からスタイレットもしくは内部ペネトレータ120gの第二端に向かって延びる複数の切断面125および126を有する第一端121を包含してよい。いくつかの適用について、1つまたは複数の切断面125は、関連するカニューレ110g中で先端123から関連する切断面114gに延びる長さ127を有して形成されてよい。1つまたは複数の切断面126は、各切断面125に隣接して第二の長さ128を持って形成されてよい。第一の長さ127は、第二の長さ128よりも長くてよい。示されるように、長さ127および128は、スタイレット120gの中心の長手軸と平行に測定される。第一の長さ127と第二の長さ128の比は、選択された骨および関連する骨髄に貫入する最適な性能を提供するために、本開示の教示に従って変化してよい。第一端101のいくつかの態様のさらなる詳細は、WO 2008/033874に記載される。
【００４４】
図2は、本願の収納アセンブリの態様とともに使用され得る駆動装置の一態様の断面図を示す。示された態様において、電動の駆動装置200は本願の骨内装置を骨および関連する骨髄の中へ挿入するのに使用されてよい。電動の駆動装置200は、ハンドル214によって部分的に画定される小さいピストルに類似した一般的な構成を有するハウジング210を包含してよい。電動の駆動装置200に関連する様々な構成要素（例えばハンドル214）がハウジング210内に配置されてよい。例えば、電池パック216等の電源がハンドル214内に配置されてよい。ハウジング210は、ポリカーボネートもしくは他の満足のいく材料等の比較的強く頑丈な高分子材料から形成されてよい。いくつかの適用について、ハウジング210はその中に配置された電動の駆動装置200の様々な構成要素を保護するために、流体密封されて結合されてよい2つの部分（明示せず）で形成されてよい。
【００４５】
モーター218およびギアアセンブリ220は、ハンドル214に隣接するハウジング210の部分内に配置されてよい。モーター218およびギアアセンブリ220は、互いに概して整列してよい。モーター218は、ギアアセンブリ220の一端と回転可能に係合してよい。駆動シャフト222は、モーター218と反対側のギアアセンブリ220の他端と回転可能に係合し、該他端から延びてよい。いくつかの適用について、モーター218およびギアアセンブリ220の両者は、概して円筒状の構成を有してよい。ハウジング210の第一端211の遠位端は、示されるように、開口部および開口部を通って延びる駆動シャフト222の部分を包含してよい。いくつかの適用について、ハウジング210の第一端211から延びる駆動シャフト222の端部224もしくは部分は、その上に配置された表面226を持つ概して六角形の断面を有してよい。結合器アセンブリ250の第二端252中に配置された容器263は、図6A〜6Cに示されるように、揃った概して六角形の断面を有してよい。
【００４６】
表面226は、互いに概して平行に、そして駆動シャフト222の長手軸もしくは回転軸に関して平行に延びてよい。1つまたは複数の先細の表面228も、電動の駆動装置200を結合器アセンブリ250と解放可能に係合させるのを支援するために、端部224上に形成されてよい。電動の駆動装置200の態様は、例えば60：1および80：1の間の減速比を包含してよく、その結果としてモーターのRPMに比べて駆動シャフトのRPMは小さくなる。対応する開口部もしくは容器を有する結合器アセンブリは、電動の駆動装置200の第一端211から延びる端部224と解放可能に係合してよい。例えば、ハウジング210の第一端211から延びる端部224は、図6A〜6Bに示されるように、結合器アセンブリ250の第二端252の近位に配置された容器264と解放可能に係合してよい。
【００４７】
いくつかの適用について、スラストベアリング241はハウジング210の第一端もしくは遠位端211およびギアアセンブリ220の隣接部分の間に配置されてよい。スラストベアリング242は、ハウジング210の第二端もしくは近位端212およびモーター218の隣接部分の間に配置されてよい。スラストベアリング241および242は、ハウジング210の関連する部分内でモーター218、ギアアセンブリ220、および駆動シャフト222の長手側の動きを制限してよい。トリガーアセンブリ244もハンドル214の近位のハウジング210内に配置されてよい。トリガーアセンブリ244は、トリガーもしくは接触スイッチ246を包含してよい。モーター218は、トリガー246を交互に押し下げおよび解放することによって、動力を与えられおよび動力を断たれてよい。電気回路基板247も、ハウジング210内に配置されてよい。電気回路基板247は、トリガーアセンブリ244、モーター218、電力供給装置216、および表示灯248と電気的に結合してよい。いくつかの適用について、表示灯248は発光ダイオード（LED）もしくはより従来型の小さい電球であってよい。いくつかの適用について、表示灯248は電池パック216の電気記憶容量の90％が使用されたときに起動してよい。本開示の教示に従って形成された骨内装置の構成および寸法は、各骨内装置のそれぞれの意図された用途によって変化してよい。例えば、本開示の教示に従って形成された生検針の長さは、およそ5ミリメーターから30ミリメーターまで変化してよい。
【００４８】
本開示の教示を組み入れた結合器アセンブリは、電動の駆動装置（例えば柔軟な収納袋もしくは滅菌スリーブ内に配置された駆動装置）からIO装置を係合および係合解除するように機能する「簡易脱着機構」として機能してもよい。そのような結合器アセンブリは、柔軟な収納袋もしくは滅菌スリーブを損傷せずにIO装置（例えば生検針もしくは針セット）が回転できるようにしてよい。結合器アセンブリの一端は、収納袋もしくは滅菌スリーブの隣接部分と流体シールもしくは流体バリアを形成するように機能してよい。本開示の教示を組み入れた結合器アセンブリは、収納袋に付着するポートアセンブリとしても記載されてよい。そのようなポートアセンブリは、IO装置から電動の駆動装置を簡単に係合もしくは係合解除できるようにすると同時に、挿入部位から電動の駆動装置がIO装置を「電源投入および電源切断」できるようにしてよい。
【００４９】
図3〜6Cは、本願のアセンブリおよびキットのいくつかの態様に適した結合器アセンブリ250の一例を示す。図3〜5は、装置100bがマーク104を包含しないことを除いて装置100aと実質的に類似する電動の駆動装置200、結合器アセンブリ250a、および骨内装置100bの様々な図を示す透視図である。結合器アセンブリ250aは、生検針セット100bの第二端102等であるがこれらに限定されない骨内装置の一端と解放可能に係合するように機能する第一端251を包含する。結合器アセンブリ250aは、電動の駆動装置200のハウジング210の第一端211から延びる駆動シャフト222の端部224等であるがこれに限定されない電動の駆動装置から延びる駆動シャフトの一部分と解放可能に係合するように機能する第二端252も包含してよい。ここには示されていないが、結合器アセンブリ250の第二端252は、WO 2008/033874に記載されるように、収納袋もしくは滅菌スリーブ中の開口部としっかりと係合してよい。
【００５０】
本開示の様々な教示を組み入れた結合器アセンブリは、電動の駆動装置もしくは手動の駆動装置と「手を使わないで」解放可能に係合できるように、一端が下方および反対端が上方を向いた、医療処置トレイもしくはキット中に設置されてよい。例えば結合器アセンブリ250aは、操作者もしくは使用者が結合器アセンブリ250aの任意の部分に物理的に接触もしくは操作する必要なしに、（駆動装置200の）駆動シャフト222の端部224が結合器アセンブリ250の第二端252の中へ挿入され、解放可能に係合してもよいように、第一端251が下向きおよび第二端252が上向きで医療処置トレイ中に配置されてよい。以下に記載されるように、結合器250aは「手を使わない」掛け金機構を包含してよい。
【００５１】
示された態様において、結合器アセンブリ250aは延びたコア260および延びたコア260の外部分上にスライド可能に配置されたハウジングアセンブリ270を包含してよい。ハウジングアセンブリ270/270aは、延びたコア260のそれぞれの第一端261およびそれぞれの第二端262と概して整列してよい第一端271および第二端272を包含してよい。いくつかの適用について、延びたコア260は、その上に形成された様々な肩部および／または窪みを持つ第一の外部分260aおよび第二の外部分260b中に画定される概して円筒状の構成を有してよい。いくつかの適用について、第一の外部分260aは第二の外部分260bよりも大きい直径を有してよい。ハウジングアセンブリ270は、第一のハウジング区分280および第二のハウジング区分290によって部分的に画定される概して中空で円筒状の構成を有するように記載されてよい。ハウジング区分280の第一端は、ハウジングアセンブリ270の第一端271に概して対応してよい。第二のハウジング区分290の第二端は、ハウジングアセンブリ270の第二端272に概して対応してよい。第二のハウジング区分290の第一端291は、第一のハウジング区分280の第二端282の隣接する内径よりも小さい外径を持つ概して円筒状の構成を有するように記載されてよい。第二のハウジング区分290は、結合器アセンブリ250の第二端252と係合した駆動シャフトの一端を解放するために、第一のハウジング区分280の第二端282内で第一の位置（図6A）から第二の位置（図6B）へと長手方向にスライドしてよい。
【００５２】
コイルバネ274等の付勢機構が、概して延びたコア260の外部分260aの周囲に配置されてよい。コイルバネ274の第一端275は、第一のハウジング区分280の内部分上に形成された環状肩部284と接触してよい。コイルバネ274の第二端276は、第二のハウジング区分290の第一端291の近位に配置された環状肩部278と接触してよい。コイルバネ274、環状肩部284、および環状肩部278は、第一のハウジング区分280および第二のハウジング区分290を互いに関して第一の延びた位置に概して維持するために、互いに連携してよい。板バネおよび蛇腹等であるがこれらに限定されない他の付勢機構（明示せず）も環状肩部284および環状肩部278の間に配置されてよい。コイルバネ274の第二端276に関連する環状肩部278は、概して円筒状の輪277から放射状に外向きに延びてよい。概して円筒状の輪277は、延びたコア260の外部分260a上にスライド可能かつ回転可能に配置されてよい。環状肩部279は、概して円筒状の輪277の内部分上に配置されてよく、延びたコア260の隣接部分に向かって放射状に内向きに延びてよい。環状肩部268は、延びたコア260の外部分260a上に、第一端261および第二端262の中間に形成されてよい。環状肩部268および環状肩部279の構成および寸法は、概して円筒状の輪277の環状肩部279と延びたコア260の環状肩部268の間の係合が、延びたコア260の第二端262の方向に長手方向に第二のハウジング区分290の動きを制限してよいように、互いに適合するように選択される。
【００５３】
いくつかの適用について、複数の柔軟なコレットもしくはフィンガー477は、概して円筒状の輪277から環状肩部278と反対側に延びてよい。それぞれのコレット頭部478は、環状肩部278と反対側に、各コレット477の端部上に形成されてよい。コレット頭部478の寸法および構成は、第二のハウジング290中に形成された、それぞれのスロットもしくは開口部297内に受け取られるように選択されてよい。結合器アセンブリ250aの製造の間に、各コレット頭部478は概して円筒状の輪277および第二のハウジング区分290の第一端291の近位の環状肩部278をしっかりと係合するために、それぞれのスロットもしくは開口部297内に配置されてよい。結果として、第二のハウジング区分290および環状肩部278は、延びたコア260および第一のハウジング区分280に関して、単一のユニットとして概して動いてよい。結合器アセンブリ250aの第一端251から骨内装置が係合解除される間に、第一のハウジング区分280は第二のハウジング区分290に向かって長手方向に動くか、もしくはスライドしてよい。同じように、結合器アセンブリ250aの第二端252から電動の駆動装置が係合解除される間に、第二のハウジング区分290は第一のハウジング区分280に向かって長手方向に動くか、もしくはスライドしてよい。
【００５４】
環状肩部267は、第一端261の近位の延びたコア260の外部分上に形成されてよい。結合器アセンブリ250aの第二端252から電動の駆動装置が係合解除される間に、第二のハウジング区分290が延びたコア260の第一端261に向かって長手方向に動く間に、第一のハウジング区分280が長手方向に動くのを制限するために、環状肩部267はハウジング270の第一端271の部分と係合してよい。前述したように、環状肩部268は延びたコア260の外部分上に、第一端261および第二端262の間に形成されてよい。概して円筒状の輪277の環状肩部268および環状肩部279の間の係合は、第二のハウジング区分290が延びたコア260の第二端262に向かって動くのを制限してよい。バネ274ならびに第一ハウジング区分280の環状肩部278および環状肩部284の間の接触により、結合器アセンブリ250aの第一端251から骨内装置が係合解除される間に、延びたコア260の第二端262の方向に長手方向に第一ハウジング区分280が動くのが制限されてよい。
【００５５】
概して円筒状の輪277および付着する環状肩部279は、環状コア260の外部分上で、環状肩部268および環状肩部267の間で長手方向にスライドしてよい。結合器アセンブリ250aの第一端251との係合から骨内装置の一端を解放するために、第一ハウジング区分280は延びたコア260の第二端262に向かって長手方向に動いてよい。同じように、結合器アセンブリ250aの第二端252と係合した電動の駆動装置から延びる駆動シャフトの一端を解放するために、第二ハウジング区分290は延びたコア260の第一端261に向かって長手方向に動いてよい。本開示の教示を組み入れた結合器アセンブリの第一端内に骨内装置の一端を解放可能に係合させるために、多様な掛け金および掛け金機構を満足のいくように使用してよい。同じように、本開示の教示を組み入れた結合器アセンブリの第二端内に電動の駆動装置もしくは手動の駆動装置から延びる駆動シャフトの一端を解放可能に係合させるために、多様な掛け金および掛け金機構を満足のいくように使用してよい。
【００５６】
結合器アセンブリ250aによって表される態様について、結合器アセンブリ250aの容器263内の生検針セット100bの第二端102等のIO装置の一端と解放可能に係合させるために、第一の掛け金410は第一端261に隣接する容器263の近位の延びたコア260の外部分上に配置されてよい。結合器アセンブリ250aの第二端252と駆動シャフトの一端を解放可能に係合させるために、第二の掛け金機構420は第二端262に隣接する容器264の近位の延びたコア260の外部分上に配置されてよい。第二の掛け金420は、電動の駆動装置200から延びる駆動シャフト222の端部224等の駆動シャフトの一部分を結合器アセンブリ250aの第二端252内で解放可能に係合させるために使用されてよい。掛け金410は結合器アセンブリ250aの第一端251と骨内装置を解放可能に係合してよく、実質的に同一の掛け金420は結合器アセンブリ250aの第二端252と電動の駆動装置を解放可能に係合してよい。
【００５７】
いくつかの適用について、掛け金410および420は、概して「オメガ」形状等の類似した構成を有してよい（例えば掛け金420）。しかしながら、掛け金410は延びたコア260の外部分260aに概して対応する、より大きい寸法を有してよい。掛け金420は延びたコア260の外部分260bに概して対応する、より小さい寸法を有してよい。本開示の様々な特徴は、第二のハウジング区分290の隣接部分および延びたコア260の外部分260bとともに掛け金機構420に関して記載されてよい。それぞれの戻り止め421および422は、概してオメガ形状の掛け金420の反対端上に形成されてよい。同じように、それぞれの戻り止め（明示せず）は概してオメガ形状の掛け金410の端部上に形成されてよい。戻り止め421および422の構成および寸法は、延びたコア260の外部分260bと結合器アセンブリ250aの第二端252の近位に配置された容器264の内部分の間に延びる、それぞれのスロットもしくは開口部中に各戻り止め421および422を設置するように適合されてよい。掛け金420は、その中で戻り止め421および422の部分がそれぞれのスロットを通って延びてよい第一の位置を有してよい。戻り止め421および422の寸法および構成は、電動の駆動装置200の端部224中に形成された環状溝402としっかりと係合するように機能してよい。同じように、関連する掛け金410上のそれぞれの戻り止めは、生検針100bの第二端102中に配置された環状溝401と解放可能に係合してよい。いくつかの適用について、結合器アセンブリ250aの第一端251の中へ生検針100bの第二端102が挿入される間に、オメガ形状の掛け金410に関連する戻り止め機構を放射状に外向きに放射状に広げるために、複数の先細の表面403は第一端142の近位のハブ140aの外部分上に形成されてよい。戻り止め機構は、それと整列させる際に、環状溝401の中へ「はめ込み」されてよい。同じように、結合器アセンブリ250aの第二端252の中へ電動の駆動装置200の端部224を挿入する間に、戻り止め機構421および422を放射状に外向きに放射状に広げるために、複数の先細の表面228は電動の駆動装置200から延びる駆動シャフト222の端部224の外部分上に形成されてよい。戻り止め機構421および422は、それと整列させる際に、環状溝402の中へ「はめ込み」される。
【００５８】
掛け金410に関連する戻り止め機構とハブアセンブリ130aの環状溝401の間の係合は、結合器アセンブリ250aの第一端251としっかりと係合した生検針100bの第二端102を概して保持する。この係合は、挿入部位からカニューレもしくは生検針110bを回収する間に、電動の駆動装置200がカニューレもしくは生検針110bを回転でき、もしくは急速に回せるようにしてよい。同じように、オメガ形状の掛け金420の戻り止め機構421および422ならびに電動の駆動装置200の端部224の環状溝402の間の係合は、挿入部位からカニューレ110bを回収する間に、電動の駆動装置100と係合した結合器アセンブリ250aの第二端252を概して保持する。
【００５９】
生検針セット100bは、第一のハウジング区分280を延びたコア260の第二端262に向かって長手方向にスライドさせることによって、結合器アセンブリ250aの第一端251から解放されてよい。第一のハウジング区分280のそのような動きによって、内部の先細の表面286がオメガ形状の掛け金410の外部分と接触し、オメガ形状の掛け金410を圧縮して、ハブアセンブリ130aの環状溝401との係合から関連する戻り止め機構（明示せず）を放射状に広げることになる。結果として、生検針セット100bは結合器アセンブリ250aの第一端251から簡単に回収されてよい。同じように、結合器アセンブリ250aの第一端251に向かった第二ハウジング区分290の長手方向の動きによって、内部の先細の表面296がオメガ形状の掛け金420の外部分と接触し、オメガ形状の掛け金420を概して圧縮して、端部224の環状溝402との係合から戻り止め機構421および422を回収もしくは引っ込めることになる。結果として、電動の駆動装置200および結合器アセンブリ250aの第二端222は、互いから簡単に切断されてよい。
【００６０】
突縁254は、拡大されたじょうご状もしくは釣鐘状の構成を有するように概して記載されてよい。突縁254の寸法および構成は、電動の駆動装置200の端部211と適合するように選択されてよい。前述したように、結合器アセンブリ250aは、本開示の教示に従って収納袋もしくは滅菌スリーブ中に形成された開口部としっかりと係合してよい。示されたもの等の態様について、結合器アセンブリ250aのハウジング270の端部272は、突縁254の隣接部分としっかりと係合するように機能する環状の輪370を包含してよい。環状の輪370の外径は、突縁254の隣接部分の外径に概して対応してよい。環状の輪370の内径も、突縁254の隣接部分の内径に概して対応してよい。いくつかの態様について、複数の柱372および概してV字型の溝374は、突縁254の最端部上に交互に配置されてよい。環状の輪370は、その中にそれぞれの柱372を受け取る大きさの複数の穴371を包含してよい。環状の輪370は、突縁254の隣接部分中に形成された、それぞれの概してV字型の溝374内に受け取られる大きさの複数の概してV字型の突起376も包含してよい。示されたもの等の態様について、収納袋の部分（例えば開口部の周囲）は、環状の輪370および突縁254の隣接部分の間に配置されてよい。例えば、柱372は収納袋中の開口部の外周に隣接する収納袋中の対応する穴を通って挿入されてよい。環状の輪370中の穴371は、それぞれの柱372と整列してよい。収納袋の他の部分（例えば開口部に隣接する）は、それぞれのV字型の突起376およびV字型の溝374の間に挟まれてよい。突縁354の隣接部分と環状の輪370を接着させるために、レーザー溶接を含むがこれに限定されない様々な溶接技術が柱372に適用されてよい。結果として、収納袋中の開口部の周囲の収納袋の外周は、結合器アセンブリ250aの第二端252としっかりと係合してよい。
【００６１】
図7A〜7Cは、本開示の教示を組み入れた1つまたは複数の骨内装置および／または他の構成要素を内包してよい医療処置トレイおよび／またはキットのいくつかの例を示す。例えば、図7Aに示されるような医療処置トレイ20aは、本開示の様々な教示を組み入れた骨内針セットもしくは吸引針セット100を包含してよい。図7Bに示されるような医療処置トレイ20bは、骨内針セットもしくは生検針セット100b、排出装置90、じょうご80、および／または収納袋もしくは滅菌スリーブ170を包含してよい。図7Cに示されるような医療処置トレイ20cは、様々なIO装置ならびに生検針セット100b、結合器アセンブリ250、収納袋170、排出装置90、および／またはじょうご80aを含むがこれらに限定されない本開示の教示を組み入れた他の構成要素も包含してよい。
【００６２】
本開示の教示に従って形成された医療処置トレイおよび／またはキットは、操作者もしくは使用者がそれぞれの構成要素を把持もしくは操作する必要なしに操作者もしくは使用者が様々な機能を実行できるように、結合器アセンブリ、じょうご、および／または鋭利物保護器等の様々な構成要素について、支持もしくは基礎を提供してよい。例えば、図7Cに示されるような医療処置トレイ20cは、電動の駆動装置の一端が結合器アセンブリ250の第二端252と解放可能に係合するように挿入され（押し入れられ）てよいように、結合器アセンブリ250を正しく位置させ、そして支持してよい。ここで電動の駆動装置は、操作者もしくは使用者が結合器アセンブリ250を直接把持もしくは操作する必要なしに医療処置トレイ20cから結合器アセンブリ250を回収するのに使用されてよい。
【００６３】
医療処置トレイ20a、20b、および／または20cは、図7Aおよび7B中に示されるように、1つまたは複数の鋭利物保護器64を含むがこれらに限定されない多様な他の構成要素も内包してよい。鋭利物保護器64は、その中に配置された硬質発泡材料もしくは粘土状材料66を包含してよい。吸引針セットおよび生検針セット等の骨内装置は、通常は皮膚、軟組織、および骨に貫入するように機能する、それぞれの鋭利な先端および／または切断面を有する。そのような骨内装置の鋭利な先端および／または切断面は、それぞれの骨内装置を用いた医療処置が完了した後に硬質発泡材料もしくは粘土状材料66の中へ挿入されてよい。
【００６４】
図7Cは、本開示の教示を組み入れた収納袋内に電動の駆動装置を設置するための1つの手続を示す。収納袋170は、従来型の滅菌技術を用いて滅菌されてもよい概して柔軟な流体不浸透性の材料から形成されてよい。収納袋170は、特に骨髄生検処置もしくは骨髄吸引処置の間に非滅菌の電動の駆動装置が滅菌された骨内装置および／または注入部位を汚染するのを防ぐために使用されてよい。収納袋170は、ハウジングアセンブリ270の隣接部分と流体バリアを形成するように機能してよい。同時に、結合器アセンブリ250は収納袋170を損傷せずに結合器アセンブリ250の第一端251と解放可能に係合した骨内装置を電動の駆動装置が回転できるようにしてよい。
【００６５】
ここで図8A〜12Bを参照すると、符番510a〜510eによって本収納アセンブリの態様が示されており、これらは駆動装置用の改良された収納アセンブリとして特許請求の範囲において説明されている。示されている態様において、収納アセンブリ510a〜510eは結合器514を含む。結合器514は、必須ではないが、本開示の全体を通して述べられている結合器アセンブリ（例えば、図5、6A〜6B等に示されている結合器アセンブリ）の態様と同様であり得る。示されている態様において、結合器514は、第一端518および第二端522を含む。結合器514の第一端518は、骨内装置（例えば、図1A〜1D、7A〜7C等に示されている骨内装置）に結合されるよう構成され得る。結合器514の第一端518は、結合器514の第一端518が骨内針セットに結合されることを可能にするために、必須ではないが、本開示の全体を通して述べられている結合器アセンブリと同様の構造的特徴（例えば、図4および図6A〜6Bに示されている特徴）を含み得る。しかしながら他の態様において、第一端518は、所与の骨内針セットを収容するおよび／またはそれに結合するよう構成された、任意の適した形状および／または構造的構成を含み得る。
【００６６】
示されている態様において、結合器514の第二端522は、駆動装置（例えば、手動の駆動装置または電動の駆動装置）に結合されるよう構成され得る。例えば、図8A〜12Bに示されているように、結合器514の第二端522は、例えば骨内針セットが結合器514の第一端518に結合されている場合などに、駆動装置526によって結合器（例えば、結合器514）および／または骨内針セットを動かすおよび／または回転させることが可能であるように、駆動装置526に結合される。駆動装置526は、必須ではないが、本開示の全体を通して述べられている駆動装置、例えば図2の駆動装置等の態様と同様であり得る。さらに、結合器514の第二端522は、結合器514の第二端522が駆動装置に結合されることを可能にするために、必須ではないが、本開示の全体を通して述べられている結合器アセンブリと同様の構造的特徴（例えば、図6Cに示されている六角形形状）を含み得る。しかしながら、他の態様において、電動の駆動装置の様々な他の態様および結合器の様々な他の構成が収納アセンブリ510a〜510eと共に使用され得る。
【００６７】
図8A〜11Cに示されている態様において、収納アセンブリ510a〜510dは、収納袋（例えば、収納袋530としてひとまとめに説明される、収納袋530a〜530d）を含む。本収納袋の態様は、収納袋内に配置された装置に向かって収納袋を付勢するように構成された、プラスチック、ゴム、適した弾性材料（例えば、ラテックス）などの様々な材料、ならびに／または任意の概して流体および／または微生物を通さない滅菌可能な材料を含んでも良い。収納袋（例えば、収納袋530）は、無菌の骨内装置および／または標的領域を駆動装置が汚染することを防止するために、無菌ではない駆動装置（例えば、手動または電動）を受け入れるよう構成され得る。
【００６８】
図8A〜11Cに示されている態様において、収納袋530は、第一端（例えば、第一端534としてひとまとめに説明される、第一端534a〜534d）を含み得る。示されている態様において、第一端534は、収納袋530の第一の開口部（例えば、第一の開口部538としてひとまとめに説明される、第一の開口部538a〜538d）を結合器514が覆うように結合器514の第二端522に結合されるよう構成され得る。示されている態様において、結合器の514の第二端522は、収納袋530の第一端534と協働して第一の開口部538上に流体および／または滅菌封止を形成することが可能である。結合器514は、骨内装置および／または標的領域を収納袋530の内部が脱無菌化することを防止するように、第一の開口部538を覆うための任意の適した方法で収納袋530に結合されるおよび／またはそれと協働することが可能である。例えば、いつくかの態様において、結合器514は、本開示において既に詳しく説明されているように収納袋530に結合され得る（例えば、環状の輪、柱、穴、突縁、および／または同様のもののアセンブリを介して）。いくつかの態様において、結合器の内部（または近位）表面が収納袋の外部表面に隣接するように、収納袋530は結合器514に結合され得る（例えば、例として接着剤、音波溶接、これら両方、または同様のものによって取り付けられる）。他の態様において、結合器の外部（または遠位）表面が収納袋の内部表面に隣接するように、収納袋530は結合器514に結合され得る（例えば、例として接着剤、音波溶接、これら両方、または同様のものによって取り付けられる）。さらに他の態様において、結合器の一部（例えば、第二端522）が収納袋の内部および外部の表面の両方に隣接して（例えば、各々の側に接して）延在するように、収納袋530は結合器514に結合され得る。
【００６９】
図8A〜11Cに示されている態様において、収納袋530は、第二端（例えば、第二端542としてひとまとめに説明される、第二端542a〜542d）、第二の開口部（例えば、第二の開口部546としてひとまとめに説明される、第二の開口部546a〜546d）、および第二端と第二の開口部との間のフラップ（例えば、フラップ543としてひとまとめに説明される、フラップ543a〜543d）をさらに含む。他の態様において、バッグの第二端が第二の開口部に一致するように、フラップは、第二の開口部と一致してかつそれから外側に延在して配置されている。第二端542は、（例えば図6Aおよび6Bに示されている種類の結合器のための第一の開口部538を通して）駆動装置が結合器514に結合されることを可能にするために、第二の開口部546を通して駆動装置（例えば、駆動装置526）を受け入れるおよび／または収容するよう構成されている（例えば、大きさに作られる）。示されている態様において、収納袋530は、（例えば、駆動装置の結合器514への結合の後に）閉鎖するおよび／または収納袋530の内部に駆動装置（例えば、駆動装置526）を密閉するよう構成されている。
【００７０】
本収納アセンブリは、閉鎖可能／密閉可能な収納袋、ならびに収納袋の内部に駆動装置が存在する収納袋を閉鎖および／または密閉するために操作可能な収納アセンブリの構造的特徴の、様々な態様を示す。例えば、図8A〜8Bに示されている態様において、（例えば、収納袋530aの第一端534aに向かってロッド550を回転させることにより）収納袋530aのフラップ543aの一部または全体をロッド550の周りに巻きつけることによって第二の開口部546aが閉鎖（例えば、および／または密閉）可能であるように、収納アセンブリ510aは、収納袋530aの第二端542aに結合されるよう構成された（例えば、および示されている態様において結合された）ロッド550を含む。ロッド550は、収納袋530aがロッド550の周りに巻きついて第二の開口部546aを閉鎖することを可能にする任意の適した様式で収納袋530aに結合され得る。いくつかの態様において、ロッド550は、収納袋530aの第二端542aまたはその近くから始まるフラップ543aに結合され、かつこれは使用者が収納袋を最初に使用する前に、この様式で結合され；他の態様において、収納アセンブリ510aは、収納袋を使用する前に、使用者がロッド550を第二端542aに結合することを可能にするよう構成されている。例えば、いくつかの態様において、使用者が第一端534aに向かってロッド550を回転させて第二の開口部546aを閉鎖させることが可能であるように、使用者は、収納袋530aの第二端542aの解き放たれている部分をロッド550の周りに巻きつけることができる。他の態様において、収納袋530aの第二端542aは、中にロッド550が配置されるおよび／または結合されるよう構成されている袋を規定する綴じ目554を含み得る。いくつかの態様において、収納袋530aの第二端542aは、（例えば、第二端534aに沿って接着剤を配置し、使用者が第二端534aを収納袋530a上に折りたたんで綴じ目554を形成させることを可能にすることによって）使用者が綴じ目554を作製することが可能であるよう構成され得る。示されている態様において、ロッド550は、実質的に円筒形の構成（例えば、円形および／または卵型の断面を有する）を含む。ロッド550は、実質的に剛性または可撓性であり得る。他の態様において、図面に示されているロッド550の態様のように、収納袋の第二の開口部を閉鎖する前にロッドが収納袋の一方の側のみに隣接するとの条件で、ロッド550は、収納袋530aに結合されることに適した任意の構成（例えば、細長い矩形の構成等）を含み得る。
【００７１】
図8A〜8Bの収納アセンブリのいくつかの態様において、収納袋530aがロッド550の周りに巻きつけられて第二端546aが閉鎖した後に収納袋530aの第二端542aが第一端534aから遠ざかることを防止するために、ロッド550は構成され得る（例えば、かぎ状に曲がっている、粘着性である、等）および／または構成可能であり得る（例えば、屈曲可能である、捩じり可能である、等）。例えば、収納袋530aを越えて延在するロッド550の少なくとも一部分が収納袋530aに向かって折りたたまれておよび／または屈曲して（例えば、ロッド550に平行に、しかし収納袋の一方の側の範囲にわたるロッド550の部分の長さと同じ長さではない）、収納袋530aが第一端534aから遠ざかることを防止することが可能であるように、該一部分が収納袋530aを越えて（例えば、または綴じ目554により規定された袋を越えて）延在し得る。
【００７２】
収納アセンブリ（例えば、滅菌された収納アセンブリ）の使用を含む方法を包含する本方法のいくつかの態様は、収納アセンブリ（例えば、収納アセンブリ510a）の収納袋（例えば、収納袋530a）内に駆動装置（例えば、駆動装置526）を挿入する工程、および収納袋に結合された結合器（例えば、結合器514の第二端522）に、駆動装置を結合する工程を含む。収納袋は、開口部（例えば、第二の開口部546a）を有し、駆動装置から該開口部よりも遠くに配置されたロッド（例えば、ロッド550）をさらに有する。これらの態様は、開口部を閉鎖するために、結合器に向かってロッドを回転させる工程をさらに含む。いくつかのより具体的な態様において、本方法はまた、骨内針セット／装置を結合器（例えば、第一端518）に結合する工程、および骨内針セット／装置を動かす（例えば、回転させる）ために、駆動装置を作動させる工程も含み得る。図9A〜9Bは、骨内装置および／または標的領域を駆動装置が脱無菌化することを防止するために閉鎖可能および／密閉可能であるよう構成された収納袋の別の態様を示す。示されている態様において、収納アセンブリ510bは、第二の開口部546bに隣接する収納袋530bの第二端542bに沿って延在する第一の係止可能なトラック558（例えば、雄部材または雌部材（または両方の局面）を含み、かつ（例えば、生鮮食料品用の）再密閉可能なバッグ上の再密閉機序に使用されるものに類似するまたはこれと同一のもの）を含む。収納アセンブリ510bは、（例えば、第一の係止可能なトラック558と第二の係止可能なトラック562が互いに向き合うように）第二の開口部546bに隣接する、第二端542bに沿って同様に延在しかつ第一の係止可能なトラック558の向かい側にある、第二の係止可能なトラック562（例えば、雄部材または雌部材（または両方の局面）を含み、かつ（例えば、生鮮食料品用の）再密閉可能なバッグ上の再密閉機序に使用されるものに類似するまたはこれに同一のもの）をさらに含む。いくつかの態様において、第一および第二の係止可能なトラックは、ジッパートラックを含み得る。第一の係止可能なトラック558および第二の係止可能なトラック562は、任意の適した様式で、例えば接着剤によって、収納袋530bの第二端542bに結合され得る。いくつかの態様において、第一および第二の係止可能なトラック558および562は、収納袋530bと一体である（例えば、単一の材料部品から形成される）。
【００７３】
図9A〜9Bに示されている態様において、収納アセンブリ510bは、第一の係止可能なトラック558および第二の係止可能なトラック562に結合されるよう構成された（例えば、および示されている態様において結合されている）タブ566をさらに含む。示されている態様において、タブ566は、第一の係止可能なトラック558を第二の係止可能なトラック562に係合させるために（例えば、第二の開口部546bを閉鎖するおよび／または収納袋530bの内部を密閉する）、第一の方向（例えば、第一および第二の係止可能なトラック558および562に沿って、第二の開口部546bに対して水平方向に）に動かされるよう構成されている。いくつかの態様において、タブ566は、第一の係止可能なトラック558の第二の係止可能なトラック562に対する係合を解くために（例えば、第二の開口部546bを開くおよび／または収納袋530bの内部を開封する）、第二の方向（例えば、第一の方向とは逆に、かつ第二の開口部546bに対して水平方向に）に動かされ得る。いくつかの態様において、第一の係止可能なトラック558は、第二の係止可能なトラック562に係合するための歯を含み得る。
【００７４】
収納アセンブリ（例えば、滅菌された収納アセンブリ）の使用を含む方法を包含する本方法のいくつかの態様は、収納アセンブリ（例えば、収納アセンブリ510b）の、開口端を有する収納袋（例えば、収納袋530b）内に駆動装置（例えば、無菌または非無菌であり得る駆動装置526）を挿入する工程、収納袋に結合された結合器（例えば、結合器514の第二端522）に、駆動装置を結合する工程、ならびに、第一の係止可能なトラック（例えば、係止可能なトラック558）を第二の係止可能なトラック（例えば、係止可能なトラック562）に係合させて収納袋において開口部（例えば、第二の開口部546b）を閉鎖し、収納袋の内部に駆動装置を封入するおよび／または密閉するために、第一の方向にタブ（例えば、タブ566）を動かす工程を含む。さらにいくつかの具体的な態様において、本方法は、骨内針セット／装置を結合器に結合する工程、および該骨内針セット／装置を動かすために、駆動装置を作動させる工程をさらに含み得る。他の態様において、本方法は、第一の係止可能なトラックの第二の係止可能なトラックに対する係合を解いて収納袋における開口部を開くために（例えば、それによって使用者が駆動装置を分離させるおよび／または取り出すことを可能にするため）、第二の方向（例えば、第一の方向と逆方向）にタブを動かす工程を含み得る。
【００７５】
図10A〜10Bは、骨内装置および／または標的領域を駆動装置が脱無菌化することを防止するために閉鎖可能および／密閉可能であるよう構成された収納袋の別の態様を示す。示されている態様において、収納アセンブリ510cは、収納袋530の第二の開口部546cを閉鎖することによって収納袋530の内部を締めるおよび密閉するために引っ張り可能であるよう構成された少なくとも一つの引きひも570を含む。示されている態様において、少なくとも一つの引きひも570は、収納袋530cの第二端542cに結合されているおよび／または結合するよう構成されている。いくつかの態様において、少なくとも一つの引きひも570は、収納袋530cの第二端542cと一体であり得る（例えば、単一の材料部品から形成される）。少なくとも一つの引きひも570は、収納袋530cに結合されるために任意の適した材料（例えば、プラスチック、ナイロン等）を含むことができ、かつ収納袋530cと類似するまたはそれと異なる材料を含むことができる。示されている態様において、収納アセンブリ510cは、結び合わされて第二の開口部546cを閉鎖するおよび／または第二端542cが閉鎖した構成にあることを確実にするよう構成された複数の引きひも570を含む。いくつかの態様において、少なくとも一つの引きひも570は、結び合わされて第二の開口部546cを閉鎖するおよび／または第二端542cが閉鎖した構成にあることを確実にするよう構成された複数の端部を含み得る。示されている態様において、少なくとも一つの引きひも570は、（例えば、引きひも570を引っ張って収納袋530cを締める際に使用者によって）把持されるよう構成された少なくとも一つの開口部574をさらに含む。少なくとも一つの開口部574が支持構造（例えば、ホック、ピン等）に結合されている場合、少なくとも一つの開口部574は、収納アセンブリ510cおよび／または駆動装置（例えば、駆動装置526）をつり下げるようにも構成されている。
【００７６】
示されている態様において、収納袋530cは、折りたたまれた構成（例えば、図10A）および展開された構成（例えば、図10B）にあり得る。収納袋530cを折りたたまれた構成から展開された構成に動かすために、収納袋530cは、第一端534c、第二端542c、結合器514、および／または少なくとも一つの引きひも570に対し使用者が十分な力を加える（例えば、引っ張る）ことができるように構成されている。示されている態様において、収納アセンブリ510cは、使用者が保持ストリップ578を分離させるまで収納袋530cを折りたたまれた構成に維持するために、収納袋530cの第一および第二端534cおよび542cに結合されるよう構成された（例えば、示されている態様において結合されている）、少なくとも一つの保持ストリップ578をさらに含む。少なくとも一つの保持ストリップ578は、第一端534c、第二端542c、結合器514、および少なくとも一つの引きひも570のうちの少なくとも一つに対し使用者が十分な力を加えた（例えば、引っ張った）場合に収納袋530cの第一端534cおよび／または第二端542cから分離するよう構成されている。保持ストリップ578は、任意の適した感圧型接着剤（例えば、アクリール樹脂、ゴム、および同様の材料）を含み得る。保持ストリップ578はまた、十分な力の適用時に収納袋530cから分離するよう構成された任意の他の材料（または材料の組み合わせ）も含み得る（例えば、プラスチック、ナイロン、紙等）。少なくとも一つの保持ストリップ578は、収納袋530cに結合され得るか、または使用者が少なくとも一つの保持ストリップ578を収納袋530cに結合できるように構成され得る。
【００７７】
収納アセンブリ（例えば、滅菌された収納アセンブリ）の使用を含む方法を包含する本方法のいくつかの態様は、収納アセンブリ（例えば、収納アセンブリ510c）の、開口端を有する収納袋（例えば、収納袋530c）内に駆動装置（例えば、無菌または非無菌であり得る駆動装置526）を挿入する工程、収納袋に結合された結合器（例えば、結合器514の第二端522）に、駆動装置を結合する工程、ならびに、収納袋の内部に駆動装置を封入するおよび／または密閉するため、収納袋を締めて開口部（例えば、収納袋530cの第二の開口部546c）を閉鎖するために、少なくとも一つの引きひも（例えば、少なくとも一つの引きひも570）を引っ張る工程を含む。いくつかの態様において、収納袋に結合された少なくとも一つの保持ストリップ（例えば、少なくとも一つの保持ストリップ578）によって、収納袋が展開された構成に動くことが防止されている場合は、本方法は、収納袋が展開された構成に動くことを可能にするために、収納袋から少なくとも一つの保持ストリップを分離させるのに十分な力を加える工程を含み得る。いくつかの態様において、本方法は、収納袋の開口部を閉鎖の状態に保つために、少なくとも一つの引きひもの二つの端部を結び合わせる工程（例えば、少なくとも一つの引きひもが二つの端部を有する場合）、および／または二つまたはそれ以上の引きひもを結び合わせる工程（例えば、複数の引きひもが収納袋に結合されている場合）を含み得る。いくつかのさらに具体的な態様において、本方法は、骨内針セット／装置を結合器に結合する工程、および該骨内針セット／装置を動かすために、駆動装置を作動させる工程をさらに含み得る。
【００７８】
図11A〜11Cは、骨内装置および／または標的領域を駆動装置が脱無菌化することを防止するために閉鎖可能および／密閉可能であるよう構成された収納袋の別の態様を示す。示されている態様において、収納アセンブリ510dは、収納袋530dが、巻かれた構成（例えば、図11A）および広がった構成（図11C）にあり得るように構成されている。収納袋530dの第二端542dは、駆動装置が収納袋530dの内部に在るように、駆動装置（例えば、駆動装置526）の上を第一端534dから遠ざかるように転がって（例えば、使用者によって）、広がった構成になるよう構成されている。示されている態様において、収納袋530dが広がった構成にある場合、第二端542dが縛られて第二の開口部546dを閉鎖し収納袋530dの内部に駆動装置を密閉することが可能であるように、収納袋530dは、収納袋530dの第二端542dが駆動装置を越えて延在するよう構成されている。示されている態様において、収納袋530dが駆動装置の形状に実質的になるように、収納袋530dは、駆動装置（例えば、駆動装置526）に向かって内向きの放射状に付勢されるよう構成されており、かつ収納袋530dは、そうするために任意の適した材料（例えば、弾性材料（例えばラテックス）など）を含み得る。
【００７９】
収納アセンブリ（例えば、滅菌された収納アセンブリ）の使用を含む方法を包含する本方法のいくつかの態様は、収納アセンブリ（例えば、収納アセンブリ510d）の、開口端を有する収納袋（例えば、収納袋530d）内に駆動装置（例えば、無菌または非無菌であり得る駆動装置526）を挿入する工程、収納袋に結合された結合器（例えば、結合器514の第二端522）に、駆動装置を結合する工程、収納袋を広がった構成に動かすために、収納袋を転がす工程（例えば、収納袋530dの第二端542dを第一端534dから遠ざかるように転がすことによる）、および、収納袋の開口端を閉鎖する工程を含む。いくつかの態様において、本方法は、駆動装置を収納袋の内部に密閉するように、収納袋（例えば、収納袋530dの第二端542d）を束ねる工程を含み得る。いくつかのより具体的な態様において、本方法は、骨内針セット／装置を結合器（例えば、結合器514の第一端518）に結合する工程、および骨内針セット／装置を動かすために、駆動装置を作動させる工程を含み得る。
【００８０】
収納袋に加えて、本収納アセンブリはまた、実質的に剛性のケーシングも含み得る。実質的に剛性のケーシングは（収納袋と同様に）、無菌の骨内装置および／または標的領域を駆動装置が脱無菌化することを防止するよう構成され得る。例えば、図12A〜12Bに示されている態様において、収納アセンブリ510eは、実質的に剛性のケーシング582を含む。実質的に剛性のケーシングの態様は、収納アセンブリ内に装置（例えば、駆動装置）を収容する、ならびに実質的に剛性のケーシングの内部に装置を封入するおよび／または密閉するために、様々な形状および構成を含み得る。例えば、示されている態様において、実質的に剛性のケーシング582は、実質的に駆動装置の形である構成（例えば、ハンドルを持つハウジングを有する）を含む。実質的に剛性のケーシング582は、必須ではないが、本開示の全体を通して説明されているように、収納袋と同様の材料、例えばゴム、プラスチック（例えば、熱硬化性樹脂、熱可塑性物質、ポリ塩化ビニル、テフロン、ポリマー、ポリカーボネート等）、ならびに任意の概して流体および／または微生物を通さない滅菌可能な剛性の材料を含み得る。
【００８１】
図12A〜12Bに示されている態様において、実質的に剛性のケーシング582は、実質的に剛性のケーシング582の第一の開口部590を結合器514が覆うように、結合器514の第二端522に結合された第一端586を含む。示されている態様において、結合器の514の第二端522は、実質的に剛性のケーシング582の第一端586と協働して第一の開口部590上に流体および／または滅菌封止を形成することが可能である。結合器514は、第一の開口部590を覆うための任意の適した方法で実質的に剛性のケーシング582に結合されるおよび／またはそれと協働することが可能である（例えば、骨内装置および／または標的領域の脱無菌化することを防止するため）。例えば、いつくかの態様において、結合器514は、本開示において説明されているように、収納袋と同様に実質的に剛性のケーシング582に結合され得る（例えば、環状の輪、柱、穴、突縁、接着剤、ベルクロ、結合装置、および／または同様のもののアセンブリを介して）。いくつかの態様において、実質的に剛性のケーシング582の第一端586は、雌構造を含むことができ、かつ結合器514の第二端522は、対応する雄構造を含むことができる（例えば、または逆の場合も同様）。他の態様において、結合器514の第二端522は、実質的に剛性のケーシング582の第一端586上の雌ネジに対応する雄ネジを含み得る（例えば、または逆の場合も同様）。いくつかの態様において、結合器の内部（または近位）表面が実質的に剛性のケーシングの外部表面に隣接するように、実質的に剛性のケーシング582は結合器514に結合され得る（例えば、例として接着剤、音波溶接、これら両方、または同様のものによって取り付けられる）。他の態様において、結合器の外部（または遠位）表面が収納袋の内部表面に隣接するように、実質的に剛性のケーシング582は結合器514に結合され得る（例えば、例として接着剤、音波溶接、これら両方、または同様のものによって取り付けられる）。さらに他の態様において、結合器の一部（例えば、第二端522）が実質的に剛性のケーシングの内部および外部の表面の両方に隣接して（例えば、各々の側に接して）延在するように、実質的に剛性のケーシング582は結合器514に結合され得る。他の態様において、実質的に剛性のケーシング582は、使用する前に使用者が結合器514に実質的に剛性のケーシング582を結合するおよび使用後に実質的に剛性のケーシング582を分離することができるように、結合器514の第二端522に結合可能および／または分離可能であり得る。
【００８２】
図12A〜12Bに示されている態様において、結合器514の第二端522は、駆動装置（例えば、手動の駆動装置または電動の駆動装置）に結合されるよう構成され得る。例えば、図8A〜12Bに示されているように、結合器514の第二端522は、例えば骨内針セットが結合器514の第一端518に結合されている場合などに、駆動装置526によって結合器（例えば、結合器514）および／または骨内針セットを動かすおよび／または回転させることが可能であるように、駆動装置526に結合される。駆動装置526は、必須ではないが、本開示の全体を通して述べられている駆動装置、例えば図2の駆動装置等の態様と同様であり得る。さらに、結合器514の第二端522は、結合器514の第二端522が駆動装置に結合されることを可能にするために、必須ではないが、本開示の全体を通して述べられている結合器アセンブリと同様の構造的特徴（例えば、図6Cに示されている六角形形状）を含み得る。しかしながら、他の態様において、電動の駆動装置の様々な他の態様および結合器の様々な他の構成が収納アセンブリ510eと共に使用され得る。
【００８３】
図12A〜12Bに示されている態様において、実質的に剛性のケーシング582は、第二の開口部598を有する第二端594をさらに含む。第二端594は、駆動装置が結合器514に結合されることを可能にするために、第二の開口部598を通して駆動装置（例えば、駆動装置526）を受け入れるおよび／または収容するよう構成され得る。示されている態様において、実質的に剛性のケーシング582の第二端594は、（例えば、駆動装置の結合器514への結合の後に）第二の開口部598を閉鎖するおよび／または実質的に剛性のケーシング582の内部に駆動装置（例えば、駆動装置526）を密閉するようさらに構成されている。
【００８４】
図12A〜12Bに示されている態様において、剛性のケーシング582は、前面部分602を含む。前面部分602は、第一端586（例えば、第一の開口部590を有する）および第二端594（例えば、第二の開口部598を有する）を含む。示されている態様において、前面部分602は、実質的に剛性のケーシング582のより大きい部分（例えば、51〜95%またはそれ以上）を含む。しかしながら、他の態様において、前面部分602は、実質的に剛性のケーシング582のより小さい部分（例えば、5〜49%またはそれ未満）を含み得る。示されている態様において、前面部分602は、駆動装置が結合器514に結合されることを可能にするために、第二の開口部598を通して駆動装置（例えば、駆動装置526）を受け入れるおよび／または収容するよう構成されている。示されている態様において、収納アセンブリ510はまた、前面部分602に（例えば可動式に）結合された背面部分606も含む。示されている態様において、背面部分606は、実質的に剛性のケーシングのより小さい部分（例えば、5〜49%またはそれ未満）を含む。しかしながら、他の態様において、背面部分606は、前面部分および／または他の部分が実質的に剛性のケーシングのより小さい部分を含むように、実質的に剛性のケーシングのより大きい部分（例えば、51〜95%またはそれ以上）を含み得る。他の態様において、前面部分602および背面部分606は、実質的に剛性のケーシング582の実質的に等しい割り当て分（例えば、50%）を含み得る。背面部分606は、駆動装置（例えば、駆動装置526）を収容するために、前面部分602と協働するよう構成されている。例えば、背面部分606および前面部分602は、（例えば、示されている態様におけるように）実質的に駆動装置の形の範囲を定めるよう協働可能である。背面部分606は、チャンバー内に駆動装置を実質的に封入するおよび／または実質的に剛性のケーシング582の内部に駆動装置を密閉するために、前面部分602と協働可能である。
【００８５】
図12A〜12Bに示されている態様において、背面部分606は、ヒンジ610によって前面部分602に（例えば回転可能に）結合されている。示されている態様において、ヒンジ610は、前面部分602に対する背面部分606の回転運動を可能とするよう構成されたヒンジピン614を有する。他の態様において、背面部分606は、様々な方法で、例えば、リビングヒンジ、ベアリング、バレルヒンジ等を用いて、前面部分602に結合され得る。いくつかの態様において、背面部分606は、使用者が前面部分602に背面部分606を結合およびそれから分離させることができるように、前面部分602に脱着可能に結合されるよう構成されている。
【００８６】
図12A〜12Bに示されている態様において、実質的に剛性のケーシング582は、柔軟な膜618をさらに含むおよび／またはこれに結合されている。示されている態様において、柔軟な膜618は、実質的に剛性のケーシング582内に駆動装置が配置されている場合に使用者が駆動装置（例えば、駆動装置526）のトリガーを引くことを可能にするよう構成されている。柔軟な膜618は、例えばその材料を通して使用者がトリガーを引くことができる任意の適した材料、例えばエラストマー材料、ゴム、ラテックス等を含み得る。柔軟な膜618はまた、駆動装置の任意の他の部分に配置されるおよび／または結合されることができ、実質的に剛性のケーシング582を通して使用者が駆動装置のその部分を操作することを可能にする（例えば、電源を交換するため、別のボタンを操作するため、等）。
【００８７】
収納アセンブリ（例えば、滅菌された収納アセンブリ）の使用を含む方法を包含する本方法のいくつかの態様は、収納アセンブリ（例えば、収納アセンブリ510e）の実質的に剛性のケーシング（例えば、実質的に剛性のケーシング582）の前面部分（例えば、前面部分602）内に駆動装置（例えば、無菌または非無菌であり得る駆動装置526）を挿入する工程、実質的に剛性のケーシングに結合された結合器（例えば、結合器514の第二端522）に、駆動装置を結合する工程、および前面部分（例えば、前面部分602）と背面部分が協働して駆動装置を実質的に封入するように、実質的に剛性のケーシングの背面部分（例えば、背面部分606）を閉鎖する工程を含む。いくつかの態様において、本方法は、骨内針セット／装置を結合器に結合する工程、および該骨内針セットを動かすために、駆動装置を作動させる工程を含み得る。
【００８８】
本開示で説明されている骨内装置（または骨内装置の構成要素）の他の態様と同様に、本収納アセンブリの態様（およびそのような態様の構成要素）はまた、一つまたは複数のキットにも含まれ得る。本収納アセンブリの一つもしくは複数の態様（または一つもしくは複数の構成要素）を含むキットは、本開示で説明されている任意のキット（例えば図7A〜7Cにおいて示されている）の一つもしくは複数のIO装置（またはIO装置の一つもしくは複数の構成要素）を含み得る。例えば、キットは、収納アセンブリ510a〜510eのうちの任意の一つを含み得る。キットは、結合器（例えば、結合器514）に結合されるよう構成された骨内針セット／装置（例えば、スタイレット、カニューレ等）、結合器（例えば、結合器514）に結合されるよう構成された駆動装置、流体バッグ（例えば、IV液を投与するよう構成されている）、吸引装置（例えば、標的領域からの組織、骨、および／または流体を吸引するよう構成されている）、鋭利物保護器、ならびに本開示の全体を通して記載および示されている同様の装置をさらに含み得る。
【００８９】
以上の明細書および例は、例示的態様の構造および使用の完全な記載を提供する。特定の態様は、ある程度の特殊性を持って、もしくは1つまたは複数の個々の態様を参照して上記されているが、当業者は本発明の範囲から逸脱することなく、開示された態様に多数の変更を加えることができる。したがって、本願の装置の様々な実例的態様は、開示された特定の形態に限定されることを意図しない。むしろ、これらは特許請求の範囲内に入るすべての修正物および代替物を包含し、示されたもの以外の態様は示された態様のいくつかもしくはすべての特徴を包含してよい。例えば、構成要素は単一構造として組み合わされてよく、および／または接続は代替されてよい。さらに、適切な場合は、上記された任意の例の局面は、記載された任意の他の例の局面と組み合わされて、同等もしくは異なる特性を有し、かつ同一もしくは異なる課題に対処する、さらなる例を形成してよい。同様に、上記した利益および長所は1つの態様に関連してよく、もしくは数個の態様に関連してよいことが理解される。
【００９０】
所定の請求項中で、それぞれ「のための手段（means for）」もしくは「のための段階（step for）」という語句を用いてミーンズプラスもしくはステッププラスファンクション型の限定を明らかに記載している場合を除き、特許請求の範囲はそのような限定を包含することを意図しておらず、そして包含すると解釈されてはならない。
【図１Ａ】
2016522691.tif 000002
【図１Ｂ】
2016522691.tif 000003
【図１Ｃ】
2016522691.tif 000004
【図１Ｄ】
2016522691.tif 000005
【図２】
2016522691.tif 000006
【図３】
2016522691.tif 000007
【図４】
2016522691.tif 000008
【図５】
2016522691.tif 000009
【図６Ａ】
2016522691.tif 000010
【図６Ｂ】
2016522691.tif 000011
【図６Ｃ】
2016522691.tif 000012
【図７Ａ】
2016522691.tif 000013
【図７Ｂ】
2016522691.tif 000014
【図７Ｃ】
2016522691.tif 000015
【図８Ａ】
2016522691.tif 000016
【図８Ｂ】
2016522691.tif 000017
【図９Ａ】
2016522691.tif 000018
【図９Ｂ】
2016522691.tif 000019
【図１０Ａ】
2016522691.tif 000020
【図１０Ｂ】
2016522691.tif 000021
【図１１Ａ】
2016522691.tif 000022
【図１１Ｂ】
2016522691.tif 000023
【図１１Ｃ】
2016522691.tif 000024
【図１２Ａ】
2016522691.tif 000025
【図１２Ｂ】
2016522691.tif 000026
【国際調査報告】
2016522691.tif 000027
2016522691.tif 000028
2016522691.tif 000029
2016522691.tif 000030
2016522691.tif 000031
2016522691.tif 000032
2016522691.tif 000033
2016522691.tif 000034
2016522691.tif 000035
2016522691.tif 000036
2016522691.tif 000037